(57)【特許請求の範囲】
【請求項１】
端末に応用される信号処理方法において、
パイロット信号に対するフィードバック情報の送信を引き起こすための第１指示情報を基地局から受信することと、
半永続的送信または非周期的送信の送信方式であるＮ（２以上の整数）個のダウンリンクパイロット信号を前記基地局から受信し、前記Ｎ個のダウンリンクパイロット信号をそれぞれ測定することと、
ダウンリンクパイロット信号のプリコーディング方式を取得することと、
前記ダウンリンクパイロット信号のプリコーディング方式に基づいて、前記Ｎ個のダウンリンクパイロット信号に対するフィードバック情報のフィードバック方式を特定してフィードバックをすることと、
を含み、
ここで、前記フィードバック方式は、前記Ｎ個のダウンリンクパイロット信号に対するフィードバック情報を、フィードバックしないこと、または、一回でフィードバックすることを含む信号処理方法。
【請求項２】
前記ダウンリンクパイロット信号のプリコーディング方式は、
前記Ｎ個のダウンリンクパイロット信号に同一のプリコーディング方式が用いられることと、前記Ｎ個のダウンリンクパイロット信号に異なるプリコーディング方式が用いられることとを含み、
前記ダウンリンクパイロット信号のプリコーディング方式を取得することは、
前記ダウンリンクパイロット信号のプリコーディング方式が含まれる前記第１指示情報に基づいて、前記ダウンリンクパイロット信号のプリコーディング方式を取得すること、または、
前記ダウンリンクパイロット信号のプリコーディング方式をハイレイヤシグナリングに基づいて取得すること、または、
前記基地局との事前の取り決めに基づいて、前記ダウンリンクパイロット信号のプリコーディング方式を取得すること、または、
前記基地局から送信される前記ダウンリンクパイロット信号のプリコーディング方式を受信すること、または、
前記ダウンリンクパイロット信号のプリコーディング方式が含まれる通知シグナリングを前記基地局から受信し、前記通知シグナリングに基づいて、前記ダウンリンクパイロット信号のプリコーディング方式を取得することを含む請求項１に記載の方法。
【請求項３】
前記ダウンリンクパイロット信号のプリコーディング方式は、
前記Ｎ個のダウンリンクパイロット信号に同一のプリコーディング方式が用いられることと、前記Ｎ個のダウンリンクパイロット信号に異なるプリコーディング方式が用いられることとを含み、
前記ダウンリンクパイロット信号のプリコーディング方式に基づいて、前記Ｎ個のダウンリンクパイロット信号に対するフィードバック情報のフィードバック方式を特定してフィードバックをすることは、
前記Ｎ個のダウンリンクパイロット信号に同一のプリコーディング方式が用いられる場合、フィードバックしないことを、前記基地局の通知または前記基地局との事前の取り決めに基づいて特定すると、前記Ｎ個のダウンリンクパイロット信号に対するフィードバック情報のフィードバック方式として、フィードバックしないことに特定すること、または、
前記Ｎ個のダウンリンクパイロット信号に同一のプリコーディング方式が用いられる場合、一回でフィードバックすることを、前記基地局の通知または前記基地局との事前の取り決めに基づいて特定すると、前記Ｎ個のダウンリンクパイロット信号に対する測定結果に基づいて、前記Ｎ個のダウンリンクパイロット信号を受信する受信ビームから、受信信号品質が最適な目標受信ビームを１つまたは複数特定し、前記目標受信ビームの情報を一回で前記基地局にフィードバックすること、または、
前記Ｎ個のダウンリンクパイロット信号に異なるプリコーディング方式が用いられる場合、前記Ｎ個のダウンリンクパイロット信号に対する測定結果に基づいて、前記Ｎ個のダウンリンクパイロット信号を受信する受信ビームから、受信信号品質が最適な目標受信ビームを１つまたは複数特定し、前記目標受信ビームに対応する目標送信ビームを特定し、前記目標送信ビームの情報または前記目標受信ビームで受信されるダウンリンクパイロット信号の情報を一回で前記基地局にフィードバックすることを含む請求項１に記載の方法。
【請求項４】
前記Ｎ個のダウンリンクパイロット信号の送信方式が半永続的送信であり、かつ、前記フィードバック方式として、前記Ｎ個のダウンリンクパイロット信号に対するフィードバック情報を一回でフィードバックする場合、
パイロット信号に対するフィードバック情報の送信停止を指示するための第２指示情報を前記基地局から受信することと、
前記第２指示情報に基づいて、パイロット信号に対するフィードバック情報の前記基地局への送信を停止することとをさらに含む請求項１〜３のいずれか一項に記載の方法。
【請求項５】
基地局に応用される信号処理方法において、
端末に対し、前記端末からアップリンクパイロット信号の送信を引き起こすための第３指示情報を送信することと、
前記端末から、半永続的送信または非周期的送信の送信方式で送信されるＭ（２以上の整数）個のアップリンクパイロット信号を受信し、前記Ｍ個のアップリンクパイロット信号をそれぞれ測定することと、
前記Ｍ個のアップリンクパイロット信号のプリコーディング方式を取得することと、
前記アップリンクパイロット信号のコーディング方式に基づいて、前記Ｍ個のアップリンクパイロット信号に対するフィードバック情報のフィードバック方式を特定してフィードバックをすることと、
を含み、
ここで、前記フィードバック方式は、前記Ｍ個のアップリンクパイロット信号に対するフィードバック情報を、フィードバックしないこと、または、一回でフィードバックすることを含み、
前記Ｍ個のアップリンクパイロット信号は、前記端末の取得したアップリンクパイロット信号のプリコーディング方式に基づいて前記端末によって送信されるものである、信号処理方法。
【請求項６】
前記アップリンクパイロット信号のプリコーディング方式は、
前記Ｍ個のアップリンクパイロット信号に同一のプリコーディング方式が用いられることと、前記Ｍ個のアップリンクパイロット信号に異なるプリコーディング方式が用いられることとを含む請求項５に記載の方法。
【請求項７】
前記アップリンクパイロット信号のプリコーディング方式を通知する方式は、
前記アップリンクパイロット信号のプリコーディング方式が含まれる前記第３指示情報によって、前記アップリンクパイロット信号のプリコーディング方式を通知すること、または、
前記アップリンクパイロット信号のプリコーディング方式をハイレイヤシグナリングによって前記端末に設定すること、または、
前記アップリンクパイロット信号のプリコーディング方式を前記端末に送信すること、または、
前記アップリンクパイロット信号のプリコーディング方式が含まれる通知シグナリングを前記端末に送信すること、または、
前記アップリンクパイロット信号のプリコーディング方式を前記端末と事前に取り決めることを含む請求項６に記載の方法。
【請求項８】
前記アップリンクパイロット信号のコーディング方式に基づいて、前記Ｍ個のアップリンクパイロット信号に対するフィードバック情報のフィードバック方式を特定してフィードバックをすることは、
前記Ｍ個のアップリンクパイロット信号に同一のプリコーディング方式が用いられる場合、前記Ｍ個のアップリンクパイロット信号に対するフィードバック情報のフィードバック方式として、フィードバックしないことを特定すること、または、
前記Ｍ個のアップリンクパイロット信号に異なるプリコーディング方式が用いられる場合、前記Ｍ個のアップリンクパイロット信号に対する測定結果に基づいて、信号品質が最適な目標アップリンクパイロット信号を１つまたは複数特定し、前記目標アップリンクパイロット信号の情報を一回で前記端末にフィードバックすることを含む請求項６又は７のいずれか一項に記載の方法。
【請求項９】
前記Ｍ個のアップリンクパイロット信号の送信方式が半永続的送信である場合、
アップリンクパイロット信号の送信停止を前記端末に指示するための第４指示情報を前記端末に送信することをさらに含む請求項５〜８のいずれか一項に記載の方法。
【請求項１０】
後のアップリンクパイロット信号の送信で送信ビームの変更が必要であるかを前記端末に通知するための第５指示情報を前記端末に送信することをさらに含む請求項５〜９のいずれか一項に記載の方法。
【請求項１１】
前記基地局が前記端末に第１指示情報を送信して、ダウンリンクパイロット信号のプリコーディング方式を通知する方式は、
前記ダウンリンクパイロット信号のプリコーディング方式が含まれる前記第１指示情報によって、前記ダウンリンクパイロット信号のコーディング方式を通知すること、または、
前記ダウンリンクパイロット信号のプリコーディング方式をハイレイヤシグナリングによって前記端末に設定すること、または、
前記ダウンリンクパイロット信号のプリコーディング方式を前記端末に送信すること、または、
前記ダウンリンクパイロット信号のプリコーディング方式が含まれる通知シグナリングを前記端末に送信すること、または、
前記ダウンリンクパイロット信号のプリコーディング方式を前記端末と事前に取り決めることを含む請求項５〜１０のいずれか一項に記載の方法。
【請求項１２】
パイロット信号に対するフィードバック情報の送信を引き起こすための第１指示情報を基地局から受信する第１受信モジュールと、
半永続的送信または非周期的送信の送信方式であるＮ（２以上の整数）個のダウンリンクパイロット信号を前記基地局から受信し、前記Ｎ個のダウンリンクパイロット信号をそれぞれ測定する第２受信モジュールと、
ダウンリンクパイロット信号のプリコーディング方式を取得する取得モジュールと、
前記ダウンリンクパイロット信号のプリコーディング方式に基づいて、前記Ｎ個のダウンリンクパイロット信号に対するフィードバック情報のフィードバック方式を特定してフィードバックをする特定モジュールと、
を含み、
ここで、前記フィードバック方式は、前記Ｎ個のダウンリンクパイロット信号に対するフィードバック情報を、フィードバックしないこと、または、一回でフィードバックすることを含む信号処理装置。
【請求項１３】
前記ダウンリンクパイロット信号のプリコーディング方式は、
前記Ｎ個のダウンリンクパイロット信号に同一のプリコーディング方式が用いられることと、前記Ｎ個のダウンリンクパイロット信号に異なるプリコーディング方式が用いられることとを含み、
前記取得モジュールは、具体的に、
前記ダウンリンクパイロット信号のプリコーディング方式が含まれる前記第１指示情報に基づいて、前記ダウンリンクパイロット信号のプリコーディング方式を取得し、または、
前記ダウンリンクパイロット信号のプリコーディング方式をハイレイヤシグナリングに基づいて取得し、または、
前記基地局との事前の取り決めに基づいて、前記ダウンリンクパイロット信号のプリコーディング方式を取得し、または、
前記基地局から送信される前記ダウンリンクパイロット信号のプリコーディング方式を受信し、または、
前記ダウンリンクパイロット信号のプリコーディング方式が含まれる通知シグナリングを前記基地局から受信し、前記通知シグナリングに基づいて、前記ダウンリンクパイロット信号のプリコーディング方式を取得する請求項１２に記載の装置。
【請求項１４】
前記特定モジュールは、具体的に、
前記Ｎ個のダウンリンクパイロット信号に同一のプリコーディング方式が用いられる場合、フィードバックしないことを、前記基地局の通知または前記基地局との事前の取り決めに基づいて特定すると、前記Ｎ個のダウンリンクパイロット信号に対するフィードバック情報のフィードバック方式として、フィードバックしないことに特定し、または、
前記Ｎ個のダウンリンクパイロット信号に同一のプリコーディング方式が用いられる場合、一回でフィードバックすることを、前記基地局の通知または前記基地局との事前の取り決めに基づいて特定すると、前記Ｎ個のダウンリンクパイロット信号に対する測定結果に基づいて、前記Ｎ個のダウンリンクパイロット信号を受信する受信ビームから、受信信号品質が最適な目標受信ビームを１つまたは複数特定し、前記目標受信ビームの情報を一回で前記基地局にフィードバックし、または、
前記Ｎ個のダウンリンクパイロット信号に異なるプリコーディング方式が用いられる場合、前記Ｎ個のダウンリンクパイロット信号に対する測定結果に基づいて、前記Ｎ個のダウンリンクパイロット信号を受信する受信ビームから、受信信号品質が最適な目標受信ビームを１つまたは複数特定し、前記目標受信ビームに対応する目標送信ビームを特定し、前記目標送信ビームの情報または前記目標受信ビームで受信されるダウンリンクパイロット信号の情報を一回で前記基地局にフィードバックする請求項１３に記載の装置。
【請求項１５】
端末に対し、前記端末からアップリンクパイロット信号の送信を引き起こすための第３指示情報を送信する第１送信モジュールと、
前記端末から、半永続的送信または非周期的送信の送信方式で送信されるＭ（２以上の整数）個のアップリンクパイロット信号を受信し、前記Ｍ個のアップリンクパイロット信号をそれぞれ測定する受信モジュールと、
前記Ｍ個のアップリンクパイロット信号のプリコーディング方式を取得する取得モジュールと、
前記アップリンクパイロット信号のコーディング方式に基づいて、前記Ｍ個のアップリンクパイロット信号に対するフィードバック情報のフィードバック方式を特定してフィードバックをする特定モジュールと、
を含み、
ここで、前記フィードバック方式は、前記Ｍ個のアップリンクパイロット信号に対するフィードバック情報を、フィードバックしないこと、または、一回でフィードバックすることを含み、
前記Ｍ個のアップリンクパイロット信号は、前記端末の取得したアップリンクパイロット信号のプリコーディング方式に基づいて前記端末によって送信されるものである、信号処理装置。
【請求項１６】
前記アップリンクパイロット信号のプリコーディング方式は、
前記Ｍ個のアップリンクパイロット信号に同一のプリコーディング方式が用いられることと、前記Ｍ個のアップリンクパイロット信号に異なるプリコーディング方式が用いられることとを含み、
前記装置は、
前記アップリンクパイロット信号のプリコーディング方式を前記第３指示情報に含ませ、または、
前記アップリンクパイロット信号のプリコーディング方式をハイレイヤシグナリングによって前記端末に設定し、または、
前記アップリンクパイロット信号のプリコーディング方式を前記端末に送信し、または、
前記アップリンクパイロット信号のプリコーディング方式が含まれる通知シグナリングを前記端末に送信し、または、
前記アップリンクパイロット信号のプリコーディング方式を前記端末と事前に取り決める設定モジュールをさらに含み、
前記特定モジュールは、具体的に、
前記Ｍ個のアップリンクパイロット信号に同一のプリコーディング方式が用いられる場合、前記Ｍ個のアップリンクパイロット信号に対するフィードバック情報のフィードバック方式として、フィードバックしないことを特定し、または、
前記Ｍ個のアップリンクパイロット信号に異なるプリコーディング方式が用いられる場合、前記Ｍ個のアップリンクパイロット信号に対する測定結果に基づいて、信号品質が最適な目標アップリンクパイロット信号を１つまたは複数特定し、前記目標アップリンクパイロット信号の情報を一回で前記端末にフィードバックする請求項１５に記載の装置。
【発明の詳細な説明】
【技術分野】
【０００１】
本願は、２０１７年４月２６日に中国特許庁に提出された中国特許出願２０１７１０２８３０１７．６の優先権を主張し、その全ての内容が援用によりここに取り込まれる。
本開示の実施例は、通信技術分野に係り、特に信号処理方法および装置に係る。
【背景技術】
【０００２】
ＮＲ（Ｎｅｗ  Ｒａｄｉｏ）システムにおいて、半永続的（Ｓｅｍｉ−ｐｅｒｓｉｓｔｅｎｔ）ＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）と非周期的（Ａｐｅｒｉｏｄｉｃ）ＣＳＩ−ＲＳの送信がサポートされる。
【０００３】
半永続的ＣＳＩ−ＲＳの引き起こしを例とすると、基地局から半永続的ＣＳＩ−ＲＳの送信は、ＭＡＣ（Ｍｅｄｉａ  Ａｃｃｅｓｓ  Ｃｏｎｔｒｏｌ）シグナリングまたは物理層シグナリングによって引き起こされる。端末は、引き起こしシグナリングを受信すると、半永続的ＣＳＩ−ＲＳを測定し、ＣＳＩ（Ｃｈａｎｎｅｌ  Ｓｔａｔｅ  Ｉｎｆｏｒｍａｔｉｏｎ）のフィードバックをする。基地局は、半永続的ＣＳＩ−ＲＳ送信の引き起こしシグナリングによって、端末から半永続的ＣＳＩのフィードバックを引き起こし、または、端末から半永続的ＣＳＩのフィードバックを別の引き起こしシグナリングによって引き起こす。
【０００４】
ＮＲシステムにおいて、半永続的ＣＳＩ−ＲＳの引き起こしおよび非周期的ＣＳＩ−ＲＳの引き起こしは、主に、端末から半永続的ＣＳＩのフィードバックおよび非周期的ＣＳＩのフィードバックを引き起こす。半永続的ＣＳＩ−ＲＳの引き起こしおよび非周期的送信のプロセスにおいて、端末は、基地局の指示に基づいて、各基地局のＣＳＩ−ＲＳに対しフィードバックをするため、リソースの無駄遣いが生じる。
【発明の概要】
【発明が解決しようとする課題】
【０００５】
これに鑑みて、本開示の実施例は、シグナリングリソースを効果的に軽減するために、信号処理方法および装置を提供する。
【課題を解決するための手段】
【０００６】
上記の技術課題を解決するために、第１態様において、本開示の実施例は、基地局に応用される信号処理方法を提供する。
当該方法は、
端末に対し、前記端末からパイロット信号に対するフィードバック情報の送信を引き起こすための第１指示情報を送信することと、
半永続的送信または非周期的送信の送信方式であるＮ（２以上の整数）個のダウンリンクパイロット信号を前記端末に送信し、よって、前記端末は、取得したダウンリンクパイロット信号のプリコーディング方式と前記第１指示情報に基づいて、前記Ｎ個のダウンリンクパイロット信号に対するフィードバック情報のフィードバック方式を特定してフィードバックをすることと、
を含み、
ここで、前記フィードバック方式は、前記Ｎ個のダウンリンクパイロット信号に対するフィードバック情報を、フィードバックしないこと、または、一回でフィードバックすることをむ。
【０００７】
本開示の実行可能な実施例において、前記ダウンリンクパイロット信号のプリコーディング方式は、前記Ｎ個のダウンリンクパイロット信号に同一のプリコーディング方式が用いられることと、前記Ｎ個のダウンリンクパイロット信号に異なるプリコーディング方式が用いられることとを含む。
【０００８】
本開示の実行可能な実施例において、前記ダウンリンクパイロット信号のプリコーディング方式を通知する方式は、
前記ダウンリンクパイロット信号のプリコーディング方式が含まれる前記第１指示情報によって、前記ダウンリンクパイロット信号のコーディング方式を通知すること、または、
前記ダウンリンクパイロット信号のプリコーディング方式をハイレイヤシグナリングによって前記端末に設定すること、または、
前記ダウンリンクパイロット信号のプリコーディング方式を前記端末に送信すること、または、
前記ダウンリンクパイロット信号のプリコーディング方式が含まれる通知シグナリングを、前記端末に送信すること、または、
前記ダウンリンクパイロット信号のプリコーディング方式を前記端末と事前に取り決めることを含む。
【０００９】
本開示の実行可能な実施例において、前記Ｎ個のダウンリンクパイロット信号に対するフィードバック情報のフィードバック方式として、前記Ｎ個のダウンリンクパイロット信号に対するフィードバック情報を一回でフィードバックすることが前記端末によって特定される場合、
前記方法は、
前記端末から前記Ｎ個のダウンリンクパイロット信号に対するフィードバック情報を受信することと、
前記Ｎ個のダウンリンクパイロット信号に対するフィードバック情報に基づいて、ダウンリンク伝送ビームを特定することとをさらに含む。
【００１０】
ここで、前記Ｎ個のダウンリンクパイロット信号の送信方式が半永続的送信であり、かつ、前記フィードバック方式として、前記Ｎ個のダウンリンクパイロット信号に対するフィードバック情報を一回でフィードバックする場合、前記方法は、前記端末に対し、パイロット信号に対するフィードバック情報の送信停止を前記端末に指示するための第２指示情報を送信することをさらに含む。
【００１１】
第２態様において、本開示の実施例は、端末に応用される信号処理方法を提供する。当該方法は、
パイロット信号に対するフィードバック情報の送信を引き起こすための第１指示情報を基地局から受信することと、
半永続的送信または非周期的送信の送信方式であるＮ（２以上の整数）個のダウンリンクパイロット信号を前記基地局から受信し、前記Ｎ個のダウンリンクパイロット信号をそれぞれ測定することと、
ダウンリンクパイロット信号のプリコーディング方式を取得することと、
前記ダウンリンクパイロット信号のプリコーディング方式に基づいて、前記Ｎ個のダウンリンクパイロット信号に対するフィードバック情報のフィードバック方式を特定してフィードバックをすることと、
を含み、
ここで、前記フィードバック方式は、前記Ｎ個のダウンリンクパイロット信号に対するフィードバック情報を、フィードバックしないこと、または、一回でフィードバックすることを含む。
【００１２】
本開示の実行可能な実施例において、前記ダウンリンクパイロット信号のプリコーディング方式は、
前記Ｎ個のダウンリンクパイロット信号に同一のプリコーディング方式が用いられることと、前記Ｎ個のダウンリンクパイロット信号に異なるプリコーディング方式が用いられることとを含み、
前記ダウンリンクパイロット信号のプリコーディング方式を取得することは、
前記ダウンリンクパイロット信号のプリコーディング方式が含まれる前記第１指示情報に基づいて、前記ダウンリンクパイロット信号のプリコーディング方式を取得すること、または、
前記ダウンリンクパイロット信号のプリコーディング方式をハイレイヤシグナリングに基づいて取得すること、または、
前記基地局との事前の取り決めに基づいて、前記ダウンリンクパイロット信号のプリコーディング方式を取得すること、または、
前記基地局から送信される前記ダウンリンクパイロット信号のプリコーディング方式を受信すること、または、
前記ダウンリンクパイロット信号のプリコーディング方式が含まれる通知シグナリングを前記基地局から受信し、前記通知シグナリングに基づいて、前記ダウンリンクパイロット信号のプリコーディング方式を取得することを含む。
【００１３】
本開示の実行可能な実施例において、前記ダウンリンクパイロット信号のプリコーディング方式は、
前記Ｎ個のダウンリンクパイロット信号に同一のプリコーディング方式が用いられることと、前記Ｎ個のダウンリンクパイロット信号に異なるプリコーディング方式が用いられることとを含み、
前記ダウンリンクパイロット信号のプリコーディング方式に基づいて、前記Ｎ個のダウンリンクパイロット信号に対するフィードバック情報のフィードバック方式を特定してフィードバックをすることは、
前記Ｎ個のダウンリンクパイロット信号に同一のプリコーディング方式が用いられる場合、フィードバックしないことを、前記基地局の通知または前記基地局との事前の取り決めに基づいて特定すると、前記Ｎ個のダウンリンクパイロット信号に対するフィードバック情報のフィードバック方式として、フィードバックしないことに特定すること、または、
前記Ｎ個のダウンリンクパイロット信号に同一のプリコーディング方式が用いられる場合、一回でフィードバックすることを、前記基地局の通知または前記基地局との事前の取り決めに基づいて特定すると、前記Ｎ個のダウンリンクパイロット信号に対する測定結果に基づいて、前記Ｎ個のダウンリンクパイロット信号を受信する受信ビームから、受信信号品質が最適な目標受信ビームを１つまたは複数特定し、前記目標受信ビームの情報を一回で前記基地局にフィードバックすること、または、
前記Ｎ個のダウンリンクパイロット信号に異なるプリコーディング方式が用いられる場合、前記Ｎ個のダウンリンクパイロット信号に対する測定結果に基づいて、前記Ｎ個のダウンリンクパイロット信号を受信する受信ビームから、受信信号品質が最適な目標受信ビームを１つまたは複数特定し、前記目標受信ビームに対応する目標送信ビームを特定し、前記目標送信ビームの情報または前記目標受信ビームで受信されるダウンリンクパイロット信号の情報を一回で前記基地局にフィードバックすることを含む。
【００１４】
本開示の実行可能な実施例において、前記Ｎ個のダウンリンクパイロット信号の送信方式が半永続的送信であり、かつ、前記フィードバック方式として、前記Ｎ個のダウンリンクパイロット信号に対するフィードバック情報を一回でフィードバックする場合、前記方法は、
パイロット信号に対するフィードバック情報の送信停止を指示するための第２指示情報を前記基地局から受信することと、
前記第２指示情報に基づいて、パイロット信号に対するフィードバック情報の前記基地局への送信を停止することとをさらに含む。
【００１５】
第３態様において、本開示の実施例は、基地局に応用される信号処理方法を提供する。当該方法は、
端末に対し、前記端末からアップリンクパイロット信号の送信を引き起こすための第３指示情報を送信することと、
前記端末から、取得したアップリンクパイロット信号のプリコーディング方式に基づいて、半永続的送信または非周期的送信の送信方式で送信されるＭ（２以上の整数）個のアップリンクパイロット信号を受信し、前記Ｍ個のアップリンクパイロット信号をそれぞれ測定することと、
前記Ｍ個のアップリンクパイロット信号のプリコーディング方式を取得することと、
前記アップリンクパイロット信号のコーディング方式に基づいて、前記Ｍ個のアップリンクパイロット信号に対するフィードバック情報のフィードバック方式を特定してフィードバックをすることと、
を含み、
ここで、前記フィードバック方式は、前記Ｍ個のアップリンクパイロット信号に対するフィードバック情報を、フィードバックしないこと、または、一回でフィードバックすることを含む。
【００１６】
本開示の実行可能な実施例において、前記アップリンクパイロット信号のプリコーディング方式は、
前記Ｍ個のアップリンクパイロット信号に同一のプリコーディング方式が用いられることと、前記Ｍ個のアップリンクパイロット信号に異なるプリコーディング方式が用いられることとを含み、
前記アップリンクパイロット信号のプリコーディング方式を通知する方式は、
前記アップリンクパイロット信号のプリコーディング方式が含まれる前記第３指示情報によって、前記アップリンクパイロット信号のプリコーディング方式を通知すること、または、
前記アップリンクパイロット信号のプリコーディング方式をハイレイヤシグナリングによって前記端末に設定すること、または、
前記アップリンクパイロット信号のプリコーディング方式を前記端末に送信すること、または、
前記アップリンクパイロット信号のプリコーディング方式が含まれる通知シグナリングを前記端末に送信すること、または、
前記アップリンクパイロット信号のプリコーディング方式を前記端末と事前に取り決めることを含む。
【００１７】
本開示の実行可能な実施例において、前記アップリンクパイロット信号のプリコーディング方式は、
前記Ｍ個のアップリンクパイロット信号に同一のプリコーディング方式が用いられることと、前記Ｍ個のアップリンクパイロット信号に異なるプリコーディング方式が用いられることとを含み、
前記アップリンクパイロット信号のコーディング方式に基づいて、前記Ｍ個のアップリンクパイロット信号に対するフィードバック情報のフィードバック方式を特定してフィードバックをすることは、
前記Ｍ個のアップリンクパイロット信号に同一のプリコーディング方式が用いられる場合、前記Ｍ個のアップリンクパイロット信号に対するフィードバック情報のフィードバック方式として、フィードバックしないことを特定すること、または、
前記Ｍ個のアップリンクパイロット信号に異なるプリコーディング方式が用いられる場合、前記Ｍ個のアップリンクパイロット信号に対する測定結果に基づいて、信号品質が最適な目標アップリンクパイロット信号を１つまたは複数特定し、前記目標アップリンクパイロット信号の情報を一回で前記端末にフィードバックすることを含む。
【００１８】
本開示の実行可能な実施例において、前記Ｍ個のアップリンクパイロット信号の送信方式が半永続的送信である場合、前記方法は、
アップリンクパイロット信号の送信停止を前記端末に指示するための第４指示情報を前記端末に送信することをさらに含む。
【００１９】
本開示の実行可能な実施例の前記方法は、後のアップリンクパイロット信号の送信で送信ビームの変更が必要であるかを前記端末に通知するための第５指示情報を前記端末に送信することをさらに含む。
【００２０】
第４態様において、本開示の実施例は、端末に応用される信号処理方法を提供する。当該方法は、
アップリンクパイロット信号の送信を引き起こすための第３指示情報を基地局から受信することと、
アップリンクパイロット信号のプリコーディング方式を取得することと、
前記アップリンクパイロット信号のプリコーディング方式と前記第３指示情報に基づいて、半永続的送信または非周期的送信の送信方式であるＭ（２以上の整数）個のアップリンクパイロット信号を送信し、よって、前記基地局は、取得したアップリンクパイロット信号のプリコーディング方式に基づいて、前記Ｍ個のアップリンクパイロット信号に対するフィードバック情報のフィードバック方式を特定してフィードバックをすることと、
を含み、
ここで、前記フィードバック方式は、前記Ｍ個のアップリンクパイロット信号に対するフィードバック情報を、フィードバックしないこと、または、一回でフィードバックすることを含む。
【００２１】
本開示の実行可能な実施例において、前記アップリンクパイロット信号のプリコーディング方式を取得することは、
前記アップリンクパイロット信号のプリコーディング方式が含まれる前記第３指示情報に基づいて、前記アップリンクパイロット信号のプリコーディング方式を取得すること、または、
前記アップリンクパイロット信号のプリコーディング方式をハイレイヤシグナリングに基づいて取得すること、または、
前記基地局との事前の取り決めに基づいて、前記アップリンクパイロット信号のプリコーディング方式を取得すること、または、
前記アップリンクパイロット信号のプリコーディング方式を前記基地局から受信すること、または、
前記アップリンクパイロット信号のプリコーディング方式が含まれる通知シグナリングを前記基地局から受信し、前記通知シグナリングに基づいて、前記アップリンクパイロット信号のプリコーディング方式を取得することを含む。
【００２２】
本開示の実行可能な実施例において、前記Ｍ個のアップリンクパイロット信号の送信方式が半永続的送信である場合、前記方法は、
アップリンクパイロット信号の送信停止を前記端末に指示するための第４指示情報を前記基地局から受信することと、
前記第４指示情報に基づいて、アップリンクパイロット信号の前記基地局への送信を停止することとをさらに含む。
【００２３】
本開示の実行可能な実施例の前記方法は、後のアップリンクパイロット信号の送信で送信ビームの変更が必要であるかを通知するための第５指示情報を前記基地局から受信することをさらに含む。
【００２４】
本開示の実行可能な実施例において、前記Ｍ個のアップリンクパイロット信号に対するフィードバック情報のフィードバック方式として、前記Ｍ個のアップリンクパイロット信号に対するフィードバック情報を一回でフィードバックすることが前記基地局によって特定される場合、前記方法は、
前記Ｍ個のアップリンクパイロット信号に対するフィードバック情報を前記基地局から受信することと、
前記Ｍ個のアップリンクパイロット信号に対するフィードバック情報に基づいて、アップリンク伝送ビームを特定することとを含む。
【００２５】
第５態様において、本開示の実施例は、信号処理装置を提供する。
当該装置は、
端末に対し、前記端末からパイロット信号に対するフィードバック情報の送信を引き起こすための第１指示情報を送信する第１送信モジュールと、
半永続的送信または非周期的送信の送信方式であるＮ（２以上の整数）個のダウンリンクパイロット信号を前記端末に送信し、よって、前記端末は、取得したダウンリンクパイロット信号のプリコーディング方式と前記第１指示情報に基づいて、前記Ｎ個のダウンリンクパイロット信号に対するフィードバック情報のフィードバック方式を特定してフィードバックをする第２送信モジュールと、
を含み、
ここで、前記フィードバック方式は、前記Ｎ個のダウンリンクパイロット信号に対するフィードバック情報を、フィードバックしないこと、または、一回でフィードバックすることを含む。
【００２６】
本開示の実行可能な実施例において、前記ダウンリンクパイロット信号のプリコーディング方式は、前記Ｎ個のダウンリンクパイロット信号に同一のプリコーディング方式が用いられることと、前記Ｎ個のダウンリンクパイロット信号に異なるプリコーディング方式が用いられることとを含む。
【００２７】
本開示の実行可能な実施例において、前記装置は、
前記ダウンリンクパイロット信号のプリコーディング方式を前記第１指示情報に含ませ、または、
前記ダウンリンクパイロット信号のプリコーディング方式をハイレイヤシグナリングによって前記端末に設定し、または、
前記ダウンリンクパイロット信号のプリコーディング方式を前記端末に送信し、または、
前記ダウンリンクパイロット信号のプリコーディング方式が含まれる通知シグナリングを前記端末に送信し、または、
前記ダウンリンクパイロット信号のプリコーディング方式を前記端末と事前に取り決める設定モジュールをさらに含む。
【００２８】
第６態様において、本開示の実施例は、信号処理装置を提供する。当該装置は、
パイロット信号に対するフィードバック情報の送信を引き起こすための第１指示情報を基地局から受信する第１受信モジュールと、
半永続的送信または非周期的送信の送信方式であるＮ（２以上の整数）個のダウンリンクパイロット信号を前記基地局から受信し、前記Ｎ個のダウンリンクパイロット信号をそれぞれ測定する第２受信モジュールと、
ダウンリンクパイロット信号のプリコーディング方式を取得する取得モジュールと、
前記ダウンリンクパイロット信号のプリコーディング方式に基づいて、前記Ｎ個のダウンリンクパイロット信号に対するフィードバック情報のフィードバック方式を特定してフィードバックをする特定モジュールと、
を含み、
ここで、前記フィードバック方式は、前記Ｎ個のダウンリンクパイロット信号に対するフィードバック情報を、フィードバックしないこと、または、一回でフィードバックすることを含む。
【００２９】
本開示の実行可能な実施例において、前記ダウンリンクパイロット信号のプリコーディング方式は、
前記Ｎ個のダウンリンクパイロット信号に同一のプリコーディング方式が用いられることと、前記Ｎ個のダウンリンクパイロット信号に異なるプリコーディング方式が用いられることとを含み、
前記取得モジュールは、具体的に、
前記ダウンリンクパイロット信号のプリコーディング方式が含まれる前記第１指示情報に基づいて、前記ダウンリンクパイロット信号のプリコーディング方式を取得し、または、
前記ダウンリンクパイロット信号のプリコーディング方式をハイレイヤシグナリングに基づいて取得し、または、
前記基地局との事前の取り決めに基づいて、前記ダウンリンクパイロット信号のプリコーディング方式を取得し、または、
前記基地局から送信される前記ダウンリンクパイロット信号のプリコーディング方式を受信し、または、
前記ダウンリンクパイロット信号のプリコーディング方式が含まれる通知シグナリングを前記基地局から受信し、前記通知シグナリングに基づいて、前記ダウンリンクパイロット信号のプリコーディング方式を取得する。
【００３０】
本開示の実行可能な実施例において、前記ダウンリンクパイロット信号のプリコーディング方式は、
前記Ｎ個のダウンリンクパイロット信号に同一のプリコーディング方式が用いられることと、前記Ｎ個のダウンリンクパイロット信号に異なるプリコーディング方式が用いられることとを含み、
前記特定モジュールは、具体的に、
前記Ｎ個のダウンリンクパイロット信号に同一のプリコーディング方式が用いられる場合、フィードバックしないことを、前記基地局の通知または前記基地局との事前の取り決めに基づいて特定すると、前記Ｎ個のダウンリンクパイロット信号に対するフィードバック情報のフィードバック方式として、フィードバックしないことに特定し、または、
前記Ｎ個のダウンリンクパイロット信号に同一のプリコーディング方式が用いられる場合、一回でフィードバックすることを、前記基地局の通知または前記基地局との事前の取り決めに基づいて特定すると、前記Ｎ個のダウンリンクパイロット信号に対する測定結果に基づいて、前記Ｎ個のダウンリンクパイロット信号を受信する受信ビームから、受信信号品質が最適な目標受信ビームを１つまたは複数特定し、前記目標受信ビームの情報を一回で前記基地局にフィードバックし、または、
前記Ｎ個のダウンリンクパイロット信号に異なるプリコーディング方式が用いられる場合、前記Ｎ個のダウンリンクパイロット信号に対する測定結果に基づいて、前記Ｎ個のダウンリンクパイロット信号を受信する受信ビームから、受信信号品質が最適な目標受信ビームを１つまたは複数特定し、前記目標受信ビームに対応する目標送信ビームを特定し、前記目標送信ビームの情報または前記目標受信ビームで受信されるダウンリンクパイロット信号の情報を一回で前記基地局にフィードバックする。
【００３１】
第７態様において、本開示の実施例は、信号処理装置を提供する。
当該装置は、
端末に対し、前記端末からアップリンクパイロット信号の送信を引き起こすための第３指示情報を送信する第１送信モジュールと、
前記端末から、取得したアップリンクパイロット信号のプリコーディング方式に基づいて、半永続的送信または非周期的送信の送信方式で送信されるＭ（２以上の整数）個のアップリンクパイロット信号を受信し、前記Ｍ個のアップリンクパイロット信号をそれぞれ測定する受信モジュールと、
前記Ｍ個のアップリンクパイロット信号のプリコーディング方式を取得する取得モジュールと、
前記アップリンクパイロット信号のコーディング方式に基づいて、前記Ｍ個のアップリンクパイロット信号に対するフィードバック情報のフィードバック方式を特定してフィードバックをする特定モジュールと、
を含み、
ここで、前記フィードバック方式は、前記Ｍ個のアップリンクパイロット信号に対するフィードバック情報を、フィードバックしないこと、または、一回でフィードバックすることを含む。
【００３２】
本開示の実行可能な実施例において、前記アップリンクパイロット信号のプリコーディング方式は、前記Ｍ個のアップリンクパイロット信号に同一のプリコーディング方式が用いられることと、前記Ｍ個のアップリンクパイロット信号に異なるプリコーディング方式が用いられることとを含む。
【００３３】
本開示の実行可能な実施例において、前記装置は、
前記アップリンクパイロット信号のプリコーディング方式を前記第３指示情報に含ませ、または、
前記アップリンクパイロット信号のプリコーディング方式をハイレイヤシグナリングによって前記端末に設定し、または、
前記アップリンクパイロット信号のプリコーディング方式を前記端末に送信し、または、
前記アップリンクパイロット信号のプリコーディング方式が含まれる通知シグナリングを前記端末に送信し、または、
前記アップリンクパイロット信号のプリコーディング方式を前記端末と事前に取り決める設定モジュールをさらに含む。
【００３４】
本開示の実行可能な実施例において、前記アップリンクパイロット信号のプリコーディング方式は、
前記Ｍ個のアップリンクパイロット信号に同一のプリコーディング方式が用いられることと、前記Ｍ個のアップリンクパイロット信号に異なるプリコーディング方式が用いられることとを含み、
前記特定モジュールは、具体的に、
前記Ｍ個のアップリンクパイロット信号に同一のプリコーディング方式が用いられる場合、前記Ｍ個のアップリンクパイロット信号に対するフィードバック情報のフィードバック方式として、フィードバックしないことを特定し、または、
前記Ｍ個のアップリンクパイロット信号に異なるプリコーディング方式が用いられる場合、前記Ｍ個のアップリンクパイロット信号に対する測定結果に基づいて、信号品質が最適な目標アップリンクパイロット信号を１つまたは複数特定し、前記目標アップリンクパイロット信号の情報を一回で前記端末にフィードバックする。
【００３５】
第８態様において、本開示の実施例は、信号処理装置を提供する。当該装置は、
アップリンクパイロット信号の送信を引き起こすための第３指示情報を基地局から受信する第１受信モジュールと、
アップリンクパイロット信号のプリコーディング方式を取得する取得モジュールと、
前記アップリンクパイロット信号のプリコーディング方式と前記第３指示情報に基づいて、半永続的送信または非周期的送信の送信方式であるＭ（２以上の整数）個のアップリンクパイロット信号を送信する送信し、よって、前記基地局は、取得したアップリンクパイロット信号のプリコーディング方式に基づいて、前記Ｍ個のアップリンクパイロット信号に対するフィードバック情報のフィードバック方式を特定してフィードバックをするモジュールと、
を含み、
ここで、前記フィードバック方式は、前記Ｍ個のアップリンクパイロット信号に対するフィードバック情報を、フィードバックしないこと、または、一回でフィードバックすることを含む。
【００３６】
本開示の実行可能な実施例において、前記アップリンクパイロット信号のプリコーディング方式は、
前記Ｍ個のアップリンクパイロット信号に同一のプリコーディング方式が用いられることと、前記Ｍ個のアップリンクパイロット信号に異なるプリコーディング方式が用いられることとを含み、
前記取得モジュールは、具体的に、
前記アップリンクパイロット信号のプリコーディング方式が含まれる前記第３指示情報に基づいて、前記アップリンクパイロット信号のプリコーディング方式を取得し、または、
前記アップリンクパイロット信号のプリコーディング方式をハイレイヤシグナリングに基づいて取得し、または、
前記基地局との事前の取り決めに基づいて、前記アップリンクパイロット信号のプリコーディング方式を取得し、または、
前記アップリンクパイロット信号のプリコーディング方式を前記基地局から受信し、または、
前記アップリンクパイロット信号のプリコーディング方式が含まれる通知シグナリングを前記基地局から受信し、前記通知シグナリングに基づいて、前記アップリンクパイロット信号のプリコーディング方式を取得する。
【００３７】
第９態様において、本開示の実施例は、プロセッサと、メモリと、前記メモリに記憶されて前記プロセッサで実行可能なコンピュータプログラムを含むネットワーク側機器を提供する。前記プロセッサが前記コンピュータプログラムを実行すると、第１態様に記載の信号処理方法のステップが実現される。
【００３８】
第１０態様において、本開示の実施例は、プロセッサと、メモリと、前記メモリに記憶されて前記プロセッサで実行可能なコンピュータプログラムを含む端末側機器を提供する。前記プロセッサが前記コンピュータプログラムを実行すると、第２態様に記載の信号処理方法のステップが実現される。
【００３９】
第１１態様において、本開示の実施例は、プロセッサと、メモリと、前記メモリに記憶されて前記プロセッサで実行可能なコンピュータプログラムを含むネットワーク側機器を提供する。前記プロセッサが前記コンピュータプログラムを実行すると、第３態様に記載の信号処理方法のステップが実現される。
【００４０】
第１２態様において、本開示の実施例は、プロセッサと、メモリと、前記メモリに記憶されて前記プロセッサで実行可能なコンピュータプログラムを含む端末側機器を提供する。前記プロセッサが前記コンピュータプログラムを実行すると、第４態様に記載の信号処理方法のステップが実現される。
【００４１】
第１３態様において、本開示の実施例は、コンピュータプログラムが記憶されているコンピュータ読み取り可能な記憶媒体を提供する。前記コンピュータプログラムがプロセッサによって実行されると、第１態様に記載の信号処理方法のステップが実現される。
【００４２】
第１４態様において、本開示の実施例は、コンピュータプログラムが記憶されているコンピュータ読み取り可能な記憶媒体を提供する。前記コンピュータプログラムがプロセッサによって実行されると、第２態様に記載の信号処理方法のステップが実現される。
【００４３】
第１５態様において、本開示の実施例は、コンピュータプログラムが記憶されているコンピュータ読み取り可能な記憶媒体を提供する。前記コンピュータプログラムがプロセッサによって実行されると、第３態様に記載の信号処理方法のステップが実現される。
【００４４】
第１６態様において、本開示の実施例は、コンピュータプログラムが記憶されているコンピュータ読み取り可能な記憶媒体を提供する。前記コンピュータプログラムがプロセッサによって実行されると、第４態様に記載の信号処理方法のステップが実現される。
【００４５】
本開示の実施例において、基地局または端末は、複数のパイロット信号に対するフィードバック情報を送信せず、または複数のパイロット信号に対するフィードバック情報を一回で送信することができる。よって、本開示の実施例の方法によれば、関連技術のようにパイロット信号毎にフィードバック情報を単独で送信する必要がなく、シグナリングリソースを効果的に軽減する。
【００４６】
本開示の実施例や関連技術の技術手段をより明確に説明するために、以下、実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【図面の簡単な説明】
【００４７】
【図１】図１は、本開示の実施例における信号処理方法のフローチャートである。
【図２】図２は、本開示の実施例における信号処理方法のフローチャートである。
【図３】図３は、本開示の実施例における信号処理方法のフローチャートである。
【図４】図４は、本開示の実施例における信号処理方法のフローチャートである。
【図５】図５は、本開示の実施例における信号伝送の概略図である。
【図６】図６は、本開示の実施例における信号伝送の概略図である。
【図７】図７は、本開示の実施例における信号伝送の概略図である。
【図８】図８は、本開示の実施例における信号伝送の概略図である。
【図９】図９は、本開示の実施例における信号処理装置の概略図である。
【図１０】図１０は、本開示の実施例における信号処理装置の構造図である。
【図１１】図１１は、本開示の実施例における信号処理装置の概略図である。
【図１２】図１２は、本開示の実施例における信号処理装置の構造図である。
【図１３】図１３は、本開示の実施例における信号処理装置の概略図である。
【図１４】図１４は、本開示の実施例における信号処理装置の構造図である。
【図１５】図１５は、本開示の実施例における信号処理装置の概略図である。
【図１６】図１６は、本開示の実施例における信号処理装置の構造図である。
【図１７】図１７は、本開示の実施例における基地局の概略図である。
【図１８】図１８は、本開示の実施例における基地局の概略図である。
【図１９】図１９は、本開示の実施例における端末の概略図である。
【図２０】図２０は、本開示の実施例における端末の概略図である。
【発明を実施するための形態】
【００４８】
以下、添付図面および実施例を参照して本開示の具体的な実施形態をさらに詳細に記載する。以下の実施例は、本開示を説明するために用いられるが、本開示の実施例の範囲を限定するためのものではない。
【００４９】
図１に示すように、本開示の実施例の基地局に応用される信号処理方法は、
端末に対し、前記端末からパイロット信号に対するフィードバック情報の送信を引き起こすための第１指示情報を送信するステップ１０１と、
半永続的送信または非周期的送信の送信方式であるＮ（２以上の整数）個のダウンリンクパイロット信号を前記端末に送信するステップ１０２とを含む。
【００５０】
それに続き、前記端末は、取得したダウンリンクパイロット信号のプリコーディング方式と前記第１指示情報に基づいて、前記Ｎ個のダウンリンクパイロット信号に対するフィードバック情報のフィードバック方式を特定してフィードバックをする。ここで、前記フィードバック方式は、前記Ｎ個のダウンリンクパイロット信号に対するフィードバック情報を、フィードバックしないこと、または、一回でフィードバックすることを含む。
【００５１】
前記ダウンリンクパイロット信号は、ＣＳＩ−ＲＳを含むが、それに限られない。
【００５２】
上記実施例において、前記ダウンリンクパイロット信号のプリコーディング方式は、前記Ｎ個のダウンリンクパイロット信号に同一のプリコーディング方式が用いられることと、前記Ｎ個のダウンリンクパイロット信号に異なるプリコーディング方式が用いられることとを含む。
【００５３】
本開示の実行可能な実施例において、前記ダウンリンクパイロット信号のプリコーディング方式が含まれる前記第１指示情報によって、前記ダウンリンクパイロット信号のコーディング方式を通知する。その場合、前記端末は、前記第１指示情報に基づいて、前記ダウンリンクパイロット信号のプリコーディング方式を取得する。
【００５４】
本開示の実行可能な実施例において、前記ダウンリンクパイロット信号のプリコーディング方式は、
前記ダウンリンクパイロット信号のプリコーディング方式をハイレイヤシグナリングによって前記端末に設定する方式、
前記ダウンリンクパイロット信号のプリコーディング方式を前記端末に送信する方式、
前記ダウンリンクパイロット信号のプリコーディング方式が含まれる通知シグナリングによって前記端末に送信する方式、
前記ダウンリンクパイロット信号のプリコーディング方式を前記端末と事前に取り決める方式のいずれか１つによって設定される。
【００５５】
上記実施例において、前記Ｎ個のダウンリンクパイロット信号に対するフィードバック情報のフィードバック方式として、前記Ｎ個のダウンリンクパイロット信号に対するフィードバック情報を一回でフィードバックすることが前記端末によって特定される場合、
前記端末から前記Ｎ個のダウンリンクパイロット信号に対するフィードバック情報を受信することと、前記Ｎ個のダウンリンクパイロット信号に対するフィードバック情報に基づいて、ダウンリンク伝送ビームを特定して伝送性能を向上させることをさらに含む。
【００５６】
上記実施例において、前記Ｎ個のダウンリンクパイロット信号の送信方式が半永続的送信であり、かつ、前記フィードバック方式として、前記Ｎ個のダウンリンクパイロット信号に対するフィードバック情報を一回でフィードバックする場合、前記端末に対し、パイロット信号に対するフィードバック情報の送信停止を前記端末に指示するための第２指示情報を送信することをさらに含む。
【００５７】
本開示の実施例において、端末は、複数のパイロット信号に対するフィードバック情報を送信せず、または複数のパイロット信号に対するフィードバック情報を一回で送信することができる。よって、本開示の実施例の方法によれば、関連技術のようにパイロット信号毎にフィードバック情報を単独で送信する必要がなく、シグナリングリソースを効果的に軽減する。
【００５８】
図２に示すように、本開示の実施例の端末に応用される信号処理方法は、以下のステップを含む。
【００５９】
ステップ２０１において、パイロット信号に対するフィードバック情報の送信を引き起こすための第１指示情報を基地局から受信する。
【００６０】
ステップ２０２において、半永続的送信または非周期的送信の送信方式であるＮ（２以上の整数）個のダウンリンクパイロット信号を前記基地局から受信し、前記Ｎ個のダウンリンクパイロット信号をそれぞれ測定する。
【００６１】
前記ダウンリンクパイロット信号は、ＣＳＩ−ＲＳを含むが、それに限られない。
【００６２】
ステップ２０３において、ダウンリンクパイロット信号のプリコーディング方式を取得する。
【００６３】
本開示の実行可能な実施例において、前記ダウンリンクパイロット信号のプリコーディング方式は、前記Ｎ個のダウンリンクパイロット信号に同一のプリコーディング方式が用いられることと、前記Ｎ個のダウンリンクパイロット信号に異なるプリコーディング方式が用いられることとを含む。
【００６４】
ここで、端末は、以下のいずれか１つの方式によって、前記ダウンリンクパイロット信号のプリコーディング方式を取得する。
端末は、
前記ダウンリンクパイロット信号のプリコーディング方式が含まれる前記第１指示情報に基づいて、前記ダウンリンクパイロット信号のプリコーディング方式を取得し、または、
前記ダウンリンクパイロット信号のプリコーディング方式をハイレイヤシグナリングに基づいて取得し、または、
前記基地局との事前の取り決めに基づいて、前記ダウンリンクパイロット信号のプリコーディング方式を取得し、または、
前記基地局から送信される前記ダウンリンクパイロット信号のプリコーディング方式を受信し、または、
前記ダウンリンクパイロット信号のプリコーディング方式が含まれる通知シグナリングを前記基地局から受信し、前記通知シグナリングに基づいて、前記ダウンリンクパイロット信号のプリコーディング方式を取得する。
【００６５】
ステップ２０４において、前記ダウンリンクパイロット信号のプリコーディング方式に基づいて、前記Ｎ個のダウンリンクパイロット信号に対するフィードバック情報のフィードバック方式を特定してフィードバックをする。ここで、前記フィードバック方式は、前記Ｎ個のダウンリンクパイロット信号に対するフィードバック情報を、フィードバックしないこと、または、一回でフィードバックすることを含む。
【００６６】
このステップにおいて、前記Ｎ個のダウンリンクパイロット信号に同一のプリコーディング方式が用いられる場合、フィードバックしないことを、前記基地局の通知または前記基地局との事前の取り決めに基づいて特定すると、端末は、前記Ｎ個のダウンリンクパイロット信号に対するフィードバック情報のフィードバック方式として、フィードバックしないことに特定する。
または、前記Ｎ個のダウンリンクパイロット信号に同一のプリコーディング方式が用いられる場合、一回でフィードバックすることを、前記基地局の通知または前記基地局との事前の取り決めに基づいて特定すると、端末は、前記Ｎ個のダウンリンクパイロット信号に対する測定結果に基づいて、前記Ｎ個のダウンリンクパイロット信号を受信する受信ビームから、受信信号品質が最適な目標受信ビームを１つまたは複数特定し、前記目標受信ビームの情報を一回で前記基地局にフィードバックする。
または、前記Ｎ個のダウンリンクパイロット信号に異なるプリコーディング方式が用いられる場合、端末は、前記Ｎ個のダウンリンクパイロット信号に対する測定結果に基づいて、前記Ｎ個のダウンリンクパイロット信号を受信する受信ビームから、受信信号品質が最適な目標受信ビームを１つまたは複数特定し、前記目標受信ビームに対応する目標送信ビームを特定し、前記目標送信ビームの情報または前記目標受信ビームで受信されるダウンリンクパイロット信号の情報を一回で前記基地局にフィードバックする。
【００６７】
すなわち、上記のＮ個のダウンリンクパイロット信号に同一のプリコーディング方式が用いられることが特定された場合、基地局の通知または基地局との事前の取り決めとともに、どのような方式を採用するかをさらに特定する。基地局がどのように端末に通知するかについて、ここでは限定せず、たとえば基地局から単独のシグナリングによって端末に通知したり、ほかのシグナリングとともに端末に通知したりする。
【００６８】
この実施例において、前記Ｎ個のダウンリンクパイロット信号の送信方式が半永続的送信であり、かつ、前記フィードバック方式として、前記Ｎ個のダウンリンクパイロット信号に対するフィードバック情報を一回でフィードバックする場合、
端末が、パイロット信号に対するフィードバック情報の送信停止を指示するための第２指示情報を前記基地局から受信することと、前記第２指示情報に基づいて、パイロット信号に対するフィードバック情報の前記基地局への送信を停止することとをさらに含む。
【００６９】
本開示の実施例において、端末は、複数のパイロット信号に対するフィードバック情報を送信せず、または複数のパイロット信号に対するフィードバック情報を一回で送信することができる。よって、本開示の実施例の方法によれば、関連技術のようにパイロット信号毎にフィードバック情報を単独で送信する必要がなく、シグナリングリソースを効果的に軽減する。
【００７０】
図３に示すように、本開示の実施例の基地局に応用される信号処理方法は、以下のステップを含む。
【００７１】
ステップ３０１において、端末に対し、前記端末からアップリンクパイロット信号の送信を引き起こすための第３指示情報を送信する。
【００７２】
前記アップリンクパイロット信号は、ＳＲＳ（Ｓｏｕｎｄｉｎｇ  Ｒｅｆｅｒｅｎｃｅ  Ｓｉｇｎａｌ）を含むが、それに限られない。
【００７３】
ステップ３０２において、前記端末から、取得したアップリンクパイロット信号のプリコーディング方式に基づいて、半永続的送信または非周期的送信の送信方式で送信されるＭ（２以上の整数）個のアップリンクパイロット信号を受信し、前記Ｍ個のアップリンクパイロット信号をそれぞれ測定する。
【００７４】
ステップ３０３において、前記Ｍ個のアップリンクパイロット信号のプリコーディング方式を取得する。
【００７５】
本開示の実行可能な実施例において、前記アップリンクパイロット信号のプリコーディング方式は、前記Ｍ個のアップリンクパイロット信号に同一のプリコーディング方式が用いられることと、前記Ｍ個のアップリンクパイロット信号に異なるプリコーディング方式が用いられることとを含む。
基地局は、以下の方式でＭ個のアップリンクパイロット信号のプリコーディング方式を端末に指示する。
前期端末は、前記アップリンクパイロット信号のプリコーディング方式が含まれる前記第３指示情報に基づいて、前記アップリンクパイロット信号のプリコーディング方式を取得し、または、
前記アップリンクパイロット信号のプリコーディング方式をハイレイヤシグナリングによって前記端末に設定し、または、
前記アップリンクパイロット信号のプリコーディング方式を前記端末に送信し、または、
前記アップリンクパイロット信号のプリコーディング方式が含まれる通知シグナリングを前記端末に送信し、または、
前記アップリンクパイロット信号のプリコーディング方式を前記端末と事前に取り決める。
【００７６】
基地局は、前記プリコーディング方式を端末に指示した後に、当該情報を自身に記憶する。したがって、このステップにおいて、自身に記憶されている情報によって、前記アップリンクパイロット信号のプリコーディング方式を取得することができる。
【００７７】
ステップ３０４において、前記アップリンクパイロット信号のコーディング方式に基づいて、前記Ｍ個のアップリンクパイロット信号に対するフィードバック情報のフィードバック方式を特定してフィードバックをする。ここで、前記フィードバック方式は、前記Ｍ個のアップリンクパイロット信号に対するフィードバック情報を、フィードバックしないこと、または、一回でフィードバックすることを含む。
【００７８】
このステップにおいて、基地局は、以下の方式でフィードバック方式を特定する。
前記アップリンクパイロット信号のコーディング方式に基づいて、前記Ｍ個のアップリンクパイロット信号に対するフィードバック情報のフィードバック方式を特定してフィードバックをすることは、
前記Ｍ個のアップリンクパイロット信号に同一のプリコーディング方式が用いられる場合、前記Ｍ個のアップリンクパイロット信号に対するフィードバック情報のフィードバック方式を、フィードバックしないことに特定すること、または、
前記Ｍ個のアップリンクパイロット信号に異なるプリコーディング方式が用いられる場合、前記Ｍ個のアップリンクパイロット信号に対する測定結果に基づいて、信号品質が最適な目標アップリンクパイロット信号を１つまたは複数特定し、前記目標アップリンクパイロット信号の情報を一回で前記端末にフィードバックすることを含む。
【００７９】
前記Ｍ個のアップリンクパイロット信号の送信方式が半永続的送信である場合、アップリンクパイロット信号の送信停止を前記端末に指示するための第４指示情報を前記端末に送信することをさらに含む。
【００８０】
さらに、本開示の実施例において、後のアップリンクパイロット信号送信で送信ビームの変更が必要であるかを前記端末に通知するための第５指示情報を前記端末に送信することをさらに含む。
【００８１】
本開示の実施例において、基地局は、複数のパイロット信号に対するフィードバック情報を送信せず、または複数のパイロット信号に対するフィードバック情報を一回で送信することができる。よって、本開示の実施例の方法によれば、関連技術のようにパイロット信号毎にフィードバック情報を単独で送信する必要がなく、シグナリングリソースを効果的に軽減する。
【００８２】
図４に示すように、本開示の実施例の端末に応用される信号処理方法は、以下のステップを含む。
【００８３】
ステップ４０１において、アップリンクパイロット信号の送信を引き起こすための第３指示情報を基地局から受信する。
【００８４】
前記アップリンクパイロット信号は、ＳＲＳを含むが、それに限られない。
【００８５】
ステップ４０２において、アップリンクパイロット信号のプリコーディング方式を取得する。
【００８６】
ここで、前記アップリンクパイロット信号のプリコーディング方式は、前記Ｍ個のアップリンクパイロット信号に同一のプリコーディング方式が用いられることと、前記Ｍ個のアップリンクパイロット信号に異なるプリコーディング方式が用いられることとを含む。
【００８７】
ここで、端末は、以下の方式でアップリンクパイロット信号のプリコーディング方式を取得する。
前記アップリンクパイロット信号のプリコーディング方式が含まれる前記第３指示情報に基づいて、前記アップリンクパイロット信号のプリコーディング方式を取得し、または、
前記アップリンクパイロット信号のプリコーディング方式をハイレイヤシグナリングに基づいて取得し、または、
前記基地局との事前の取り決めに基づいて、前記アップリンクパイロット信号のプリコーディング方式を取得し、または、
前記アップリンクパイロット信号のプリコーディング方式を前記基地局から受信し、または、
前記アップリンクパイロット信号のプリコーディング方式が含まれる通知シグナリングを前記基地局から受信し、前記通知シグナリングに基づいて、前記アップリンクパイロット信号のプリコーディング方式を取得する。
【００８８】
上記実施例において、前記Ｍ個のアップリンクパイロット信号の送信方式が半永続的送信である場合、アップリンクパイロット信号の送信停止を前記端末に指示するための第４指示情報を前記基地局から受信することと、前記第４指示情報に基づいて、アップリンクパイロット信号の前記基地局への送信を停止することとをさらに含む。
【００８９】
上記実施例において、後のアップリンクパイロット信号送信で送信ビームの変更が必要であるかを通知するための第５指示情報を前記基地局から受信することをさらに含む。
【００９０】
上記実施例において、前記Ｍ個のアップリンクパイロット信号に対するフィードバック情報のフィードバック方式として、前記Ｍ個のアップリンクパイロット信号に対するフィードバック情報を一回でフィードバックすることが前記基地局によって特定される場合、前記Ｍ個のアップリンクパイロット信号に対するフィードバック情報を前記基地局から受信することと、前記Ｍ個のアップリンクパイロット信号に対するフィードバック情報に基づいて、アップリンク伝送ビームを特定することとをさらに含む。
【００９１】
ステップ４０３において、前記アップリンクパイロット信号のプリコーディング方式と前記第３指示情報に基づいて、半永続的送信または非周期的送信の送信方式であるＭ（２以上の整数）個のアップリンクパイロット信号を送信する。よって、前記基地局は、取得したアップリンクパイロット信号のプリコーディング方式に基づいて、前記Ｍ個のアップリンクパイロット信号に対するフィードバック情報のフィードバック方式を特定してフィードバックをする。ここで、前記フィードバック方式は、前記Ｍ個のアップリンクパイロット信号に対するフィードバック情報を、フィードバックしないこと、または、一回でフィードバックすることを含む。
【００９２】
本開示の実施例において、基地局は、複数のパイロット信号に対するフィードバック情報を送信せず、または複数のパイロット信号に対するフィードバック情報を一回で送信することができる。よって、本開示の実施例の方法によれば、関連技術のようにパイロット信号毎にフィードバック情報を単独で送信する必要がなく、シグナリングリソースを効果的に軽減する。
【００９３】
以下の実施例において、基地局による半永続的ＣＳＩ−ＲＳ送信の引き起こしおよび端末のフィードバック方法を記載し、具体的なプロセスは、以下である。
【００９４】
基地局は、半永続的ＣＳＩ−ＲＳ送信を引き起こす指令を送信する。当該指令によって、情報のフィードバックの開始を端末に指示する。半永続的ＣＳＩ−ＲＳ送信を引き起こす指令を送信した後に、基地局は、半永続的ＣＳＩ−ＲＳを送信する。図５に示すように、基地局は、当該指令を送信してから、半永続的ＣＳＩ−ＲＳをＮ（２以上の整数）回送信する。基地局から毎回送信される半永続的ＣＳＩ−ＲＳは、少なくとも１つの時間ユニットを占め、２回の半永続的ＣＳＩ−ＲＳ送信の間のインターバルは、０以上の時間ユニットである。
【００９５】
基地局は、半永続的ＣＳＩ−ＲＳを送信するたびに、同一のプリコーディングが用いられ（同一のビーム方向での送信）、または、異なるプリコーディングが用いられる（異なるビーム方向での送信）。基地局は、同一のプリコーディングが用いられまたは異なるプリコーディングが用いられるとの情報を、半永続的ＣＳＩ−ＲＳ送信を引き起こす指令で端末に送信し、または単独で端末に送信し、またはほかのシグナリングとともに端末に送信し、またはハイレイヤシグナリングによって端末に設定し、または端末と事前に取り決めた方式によって設定する。基地局では１種類のプリコーディング方式のみが用いられる場合、端末に通知する必要がない。
【００９６】
その後、基地局は、半永続的ＣＳＩ−ＲＳ停止を引き起こす指令を送信し、半永続的ＣＳＩ−ＲＳの送信を停止し、フィードバックの停止を端末に指示する。
【００９７】
端末は、各半永続的ＣＳＩ−ＲＳを受信すると、それぞれ測定を行う。
【００９８】
基地局から送信されるＮ回の半永続的ＣＳＩ−ＲＳに同一のプリコーディングが用いられるか否かに応じて、端末での処理方式が異なる。
基地局から送信されるＮ回の半永続的ＣＳＩ−ＲＳに同一のプリコーディングが用いられる場合（同一のビーム方向での送信）、端末は、異なる受信ビームで半永続的ＣＳＩ−ＲＳを受信する。すなわち、端末の受信ビームを訓練する。端末は、受信信号レベルに基づいて、最適な１つまたは複数の受信ビームを特定し、ここで目標受信ビームと称する。端末は、基地局にいっさい情報をフィードバックせず、または、ビームＩＤなどの目標受信ビームの情報を、半永続的ＣＳＩ−ＲＳ停止を引き起こす指令に基づいて一回でフィードバックする。
【００９９】
基地局から送信されるＮ回の半永続的ＣＳＩ−ＲＳに異なるプリコーディングが用いられる場合（異なるビーム方向での送信）、端末は、半永続的ＣＳＩ−ＲＳを受信し、受信信号レベルに基づいて、最適な目標受信ビームを特定し、前記目標受信ビームに対応する目標送信ビームを特定する。端末は、半永続的ＣＳＩ−ＲＳ停止を引き起こす指令に基づいて、目標送信ビームの関連情報（たとえばビームＩＤ）または前記目標受信ビームで受信されるＣＳＩ−ＲＳのＩＤを一回で基地局にフィードバックする。
【０１００】
基地局は、端末のフィードバック情報を受信すると、フィードバック情報に基づいてダウンリンクデータ伝送を行う。たとえば、端末から１つの最適な基地局送信ビーム（ビームＩＤまたはＣＳＩ−ＲＳ  ＩＤ）をフィードバックすると、後のデータ送信において、基地局は、当該送信ビーム方向で当該端末にデータを送信し、伝送性能を向上させる。
【０１０１】
以下の実施例において、基地局による非周期的ＣＳＩ−ＲＳ送信の引き起こしおよび端末のフィードバック方法を記載する。
【０１０２】
基地局は、非周期的ＣＳＩ−ＲＳ送信を引き起こす指令を送信する。ここで、当該指令によって、情報のフィードバックの開始を端末に指示する。
【０１０３】
基地局は、Ｎ（２以上の整数）個の非周期的ＣＳＩ−ＲＳを送信する。図６に示すように、基地局は、Ｎ個のＣＳＩ−ＲＳリソースを引き起こす。各ＣＳＩ−ＲＳは、少なくとも１つの時間ユニットを占める。２つのＣＳＩ−ＲＳの間のインターバルは、０以上の時間ユニットである。基地局は、ＣＳＩ−ＲＳリソースを送信するたびに、同一のプリコーディングが用いられ（同一のビーム方向での送信）、または、異なるプリコーディングが用いられる（異なるビーム方向での送信）。基地局は、同一のプリコーディングシグナリングが用いられまたは異なるプリコーディングシグナリングが用いられるとの情報を、非周期的ＣＳＩ−ＲＳ送信を引き起こす指令で端末に送信し、または単独で端末に送信し、またはほかのシグナリングとともに端末に送信し、またはハイレイヤシグナリングによって端末に設定し、または端末と事前に取り決めた方式によって設定する。基地局では１種類のプリコーディング方式のみが用いられる場合、端末に通知する必要がない。
【０１０４】
端末は、各非周期的ＣＳＩ−ＲＳを受信すると、それぞれ測定を行う。
【０１０５】
基地局から送信される非周期的ＣＳＩ−ＲＳに同一のプリコーディングが用いられるか否かに応じて、端末での処理方式が異なる。
基地局から送信されるＮ回の非周期的ＣＳＩ−ＲＳリソースに同一のプリコーディングが用いられる場合（同一のビーム方向での送信）、端末は、異なる受信ビームで非周期的ＣＳＩ−ＲＳを受信する。すなわち、端末の受信ビームを訓練する。端末は、受信信号レベルに基づいて、最適な１つまたは複数の受信ビームを特定し、ここで目標受信ビームと称する。端末は、基地局にいっさい情報をフィードバックせず、または、目標受信ビーム情報を一回でフィードバックする。
【０１０６】
基地局から送信されるＮ回の非周期的ＣＳＩ−ＲＳリソースに異なるプリコーディングが用いられる場合（異なるビーム方向での送信）、端末は、非周期的ＣＳＩ−ＲＳを受信し、受信信号レベルに基づいて、最適な目標受信ビームを特定し、前記目標受信ビームに対応する目標送信ビームを特定する。端末は、非周期的ＣＳＩ−ＲＳ停止を引き起こす指令に基づいて、目標送信ビームの関連情報（たとえばビームＩＤ）または前記目標受信ビームで受信されるＣＳＩ−ＲＳのＩＤを一回で基地局にフィードバックする。
【０１０７】
基地局は、端末のフィードバック情報を受信すると、フィードバック情報に基づいてダウンリンクデータ伝送を行う。たとえば、端末から１つの最適な基地局送信ビーム（ビームＩＤまたはＣＳＩ−ＲＳ  ＩＤ）をフィードバックすると、後のデータ送信において、基地局は、当該送信ビーム方向で当該端末にデータを送信し、伝送性能を向上させる。
【０１０８】
以下の実施例において、端末による半永続的ＳＲＳ送信および基地局のフィードバック方法を記載する。
【０１０９】
基地局は、半永続的ＳＲＳを引き起こす指令を端末に送信する。同時に、基地局は、同一のプリコーディング（ビーム）、それとも異なるプリコーディング（ビーム）で半永続的ＳＲＳを送信するかを端末に通知する。同一のプリコーディングシグナリングが用いられまたは異なるプリコーディングシグナリングが用いられるとの情報は、基地局から、半永続的ＳＲＳを引き起こす指令でに端末に送信し、または単独で端末に送信し、またはほかのシグナリングとともに端末に送信し、またはハイレイヤシグナリングによって端末に設定し、または基地局と端末との間で初期設定される。基地局から半永続的ＳＲＳの送信停止の指令を端末に送信すると、端末は、受信した指令に基づいて、それ以上半永続的ＳＲＳを送信しない。
【０１１０】
端末は、半永続的ＳＲＳを引き起こす指令を受信すると、半永続的ＳＲＳを送信する。図７に示すように、端末は、Ｍ（２以上の整数）個の半永続的ＳＲＳを基地局に送信する。２回のＳＲＳ送信の間のインターバルは、０以上の時間ユニットである。
【０１１１】
基地局の指示に基づいて、端末は、同一のプリコーディング（ビーム）で半永続的ＳＲＳを送信し、または、異なるプリコーディング（ビーム）で半永続的ＳＲＳを送信する。
【０１１２】
基地局は、半永続的ＳＲＳを受信して測定する。ここで、端末からの半永続的ＳＲＳの送信方式の相違に応じて、基地局での処理方式が異なる。
端末から同一のプリコーディング（ビーム）で半永続的ＳＲＳを送信する場合、基地局は、情報を一切にフィードバックしない。端末から異なるプリコーディング（ビーム）で半永続的ＳＲＳを送信する場合、基地局は、前記Ｍ個の半永続的ＳＲＳに対する測定結果に基づいて、信号品質が最適な目標半永続的ＳＲＳを１つまたは複数特定し、前記目標半永続的ＳＲＳの情報を一回で前記端末にフィードバックする。
【０１１３】
この実施例において、基地局は、さらに、指示情報を端末に送信することによって、後のアップリンクパイロット信号送信で送信ビームの変更が必要であるかを前記端末に通知する。たとえば、基地局は、ビームの変更可否をビームＩＤ（ｂｅａｍ  ｉｎｄｅｘ）で端末に指示する。たとえば、半永続的ＳＲＳを引き起こす指令にビームＩＤ（ｂｅａｍ  ｉｎｄｅｘ）が含まれているのであれば、端末は、ビームを変更しないが、それ以外の場合、ビームの変更が可能である。
【０１１４】
以下の実施例において、端末による非周期的ＳＲＳ送信および基地局のフィードバック方法を記載する。
【０１１５】
基地局は、非周期的ＳＲＳを引き起こす指令を端末に送信する。同時に、基地局は、同一のプリコーディング（ビーム）、それとも異なるプリコーディング（ビーム）で非周期的ＳＲＳを送信するかを端末に通知する。同一のプリコーディングシグナリングが用いられまたは異なるプリコーディングシグナリングが用いられるとの情報は、基地局から、非周期的ＳＲＳを引き起こす指令で端末に送信し、または単独で端末に送信し、またはほかのシグナリングとともに端末に送信し、またはハイレイヤシグナリングによって端末に設定し、または基地局と端末との間で初期設定される。基地局から非周期的ＳＲＳの送信停止の指令を端末に送信すると、端末は、受信した指令に基づいて、それ以上非周期的ＳＲＳを送信しない。
【０１１６】
端末は、非周期的ＳＲＳを引き起こす指令を受信すると、非周期的ＳＲＳを送信する。図８に示すように、端末は、Ｍ（２以上の整数）個の非周期的ＳＲＳリソースを基地局に送信する。２回のＳＲＳ送信の間のインターバルは、０以上の時間ユニットである。
【０１１７】
基地局の指示に基づいて、端末は、同一のプリコーディング（ビーム）で非周期的ＳＲＳを送信し、または、異なるプリコーディング（ビーム）で非周期的ＳＲＳを送信する。
【０１１８】
基地局は、非周期的ＳＲＳを受信して測定する。ここで、端末からの非周期的ＳＲＳの送信方式の相違に応じて、基地局での処理方式が異なる。
端末から同一のプリコーディング（ビーム）で非周期的ＳＲＳを送信する場合、基地局は、いっさい情報をフィードバックしない。端末から異なるプリコーディング（ビーム）で非周期的ＳＲＳを送信する場合、基地局は、前記Ｍ個の非周期的ＳＲＳに対する測定結果に基づいて、信号品質が最適な目標非周期的ＳＲＳを１つまたは複数特定し、前記目標非周期的ＳＲＳの情報を一回で前記端末にフィードバックする。
【０１１９】
この実施例において、基地局は、さらに、指示情報を端末に送信することによって、後のアップリンクパイロット信号送信で送信ビームの変更が必要であるかを前記端末に通知する。たとえば、基地局は、ビームの変更可否をビームＩＤ（ｂｅａｍ  ｉｎｄｅｘ）で端末に指示する。たとえば、非周期的ＳＲＳを引き起こす指令にビームＩＤ（ｂｅａｍ  ｉｎｄｅｘ）が含まれているのであれば、端末は、ビームを変更しないが、それ以外の場合、ビームの変更が可能である。
【０１２０】
図９に示すように、本開示の実施例における信号処理装置は、
端末に対し、前記端末からパイロット信号に対するフィードバック情報の送信を引き起こすための第１指示情報を送信する第１送信モジュール９０１と、
半永続的送信または非周期的送信の送信方式であるＮ（２以上の整数）個のダウンリンクパイロット信号を前記端末に送信し、よって、前記端末は、取得したダウンリンクパイロット信号のプリコーディング方式と前記第１指示情報に基づいて、前記Ｎ個のダウンリンクパイロット信号に対するフィードバック情報のフィードバック方式を特定してフィードバックをする第２送信モジュール９０２と、
を含み、
ここで、前記フィードバック方式は、前記Ｎ個のダウンリンクパイロット信号に対するフィードバック情報を、フィードバックしないこと、または、一回でフィードバックすることを含む。
【０１２１】
ここで、前記ダウンリンクパイロット信号のプリコーディング方式は、前記Ｎ個のダウンリンクパイロット信号に同一のプリコーディング方式が用いられることと、前記Ｎ個のダウンリンクパイロット信号に異なるプリコーディング方式が用いられることとを含む。
【０１２２】
図１０に示すように、前記装置は、前記ダウンリンクパイロット信号のプリコーディング方式を前記第１指示情報に含ませ、または、前記ダウンリンクパイロット信号のプリコーディング方式をハイレイヤシグナリングによって前記端末に設定し、または、前記ダウンリンクパイロット信号のプリコーディング方式を前記端末に送信し、または、前記ダウンリンクパイロット信号のプリコーディング方式が含まれる通知シグナリングを前記端末に送信し、または、前記ダウンリンクパイロット信号のプリコーディング方式を前記端末と事前に取り決める設定モジュール９０３をさらに含む。
【０１２３】
図１０に示すように、前記装置は、前記Ｎ個のダウンリンクパイロット信号に対するフィードバック情報のフィードバック方式として、前記Ｎ個のダウンリンクパイロット信号に対するフィードバック情報を一回でフィードバックすることが前記端末によって特定されると、前記端末から前記Ｎ個のダウンリンクパイロット信号に対するフィードバック情報を受信する受信モジュール９０４と、前記Ｎ個のダウンリンクパイロット信号に対するフィードバック情報に基づいて、ダウンリンク伝送ビームを特定する特定モジュール９０５とをさらに含む。
【０１２４】
図１０に示すように、前記装置は、前記Ｎ個のダウンリンクパイロット信号の送信方式が半永続的送信であり、かつ、前記フィードバック方式として、前記Ｎ個のダウンリンクパイロット信号に対するフィードバック情報を一回でフィードバックする場合、前記端末に対し、パイロット信号に対するフィードバック情報の送信停止を前記端末に指示するための第２指示情報を送信する第３送信モジュール９０６をさらに含む。
【０１２５】
本開示に記載の装置の動作原理は、前記方法実施例の記載を参照されたく、かつ前記装置は、基地局に位置することができる。
【０１２６】
本開示の実施例において、端末は、複数のパイロット信号に対するフィードバック情報を送信せず、または複数のパイロット信号に対するフィードバック情報を一回で送信することができる。よって、本開示の実施例の方法によれば、関連技術のようにパイロット信号毎にフィードバック情報を単独で送信する必要がなく、シグナリングリソースを効果的に軽減する。
【０１２７】
図１１に示すように、本開示の実施例における信号処理装置は、
パイロット信号に対するフィードバック情報の送信を引き起こすための第１指示情報を基地局から受信する第１受信モジュール１１０１と、
半永続的送信または非周期的送信の送信方式であるＮ（２以上の整数）個のダウンリンクパイロット信号を前記基地局から受信し、前記Ｎ個のダウンリンクパイロット信号をそれぞれ測定する第２受信モジュール１１０２と、
ダウンリンクパイロット信号のプリコーディング方式を取得する取得モジュール１１０３と、
前記ダウンリンクパイロット信号のプリコーディング方式に基づいて、前記Ｎ個のダウンリンクパイロット信号に対するフィードバック情報のフィードバック方式を特定してフィードバックをする特定モジュール１１０４と、
を含み、
ここで、前記フィードバック方式は、前記Ｎ個のダウンリンクパイロット信号に対するフィードバック情報を、フィードバックしないこと、または、一回でフィードバックすることを含む。
【０１２８】
ここで、前記ダウンリンクパイロット信号のプリコーディング方式は、前記Ｎ個のダウンリンクパイロット信号に同一のプリコーディング方式が用いられることと、前記Ｎ個のダウンリンクパイロット信号に異なるプリコーディング方式が用いられることとを含む。
前記取得モジュール１１０３は、具体的に、
前記ダウンリンクパイロット信号のプリコーディング方式が含まれる前記第１指示情報に基づいて、前記ダウンリンクパイロット信号のプリコーディング方式を取得し、または、
前記ダウンリンクパイロット信号のプリコーディング方式をハイレイヤシグナリングに基づいて取得し、または、
前記基地局との事前の取り決めに基づいて、前記ダウンリンクパイロット信号のプリコーディング方式を取得し、または、
前記基地局から送信される前記ダウンリンクパイロット信号のプリコーディング方式を受信し、または、
前記ダウンリンクパイロット信号のプリコーディング方式が含まれる通知シグナリングを前記基地局から受信し、前記通知シグナリングに基づいて、前記ダウンリンクパイロット信号のプリコーディング方式を取得する。
【０１２９】
ここで、前記特定モジュール１１０４は、具体的に、
前記Ｎ個のダウンリンクパイロット信号に同一のプリコーディング方式が用いられる場合、フィードバックしないことを、前記基地局の通知または前記基地局との事前の取り決めに基づいて特定すると、前記Ｎ個のダウンリンクパイロット信号に対するフィードバック情報のフィードバック方式として、フィードバックしないことに特定し、または、
前記Ｎ個のダウンリンクパイロット信号に同一のプリコーディング方式が用いられる場合、一回でフィードバックすることを、前記基地局の通知または前記基地局との事前の取り決めに基づいて特定すると、前記Ｎ個のダウンリンクパイロット信号に対する測定結果に基づいて、前記Ｎ個のダウンリンクパイロット信号を受信する受信ビームから、受信信号品質が最適な目標受信ビームを１つまたは複数特定し、前記目標受信ビームの情報を一回で前記基地局にフィードバックし、または、
前記Ｎ個のダウンリンクパイロット信号に異なるプリコーディング方式が用いられる場合、前記Ｎ個のダウンリンクパイロット信号に対する測定結果に基づいて、前記Ｎ個のダウンリンクパイロット信号を受信する受信ビームから、受信信号品質が最適な目標受信ビームを１つまたは複数特定し、前記目標受信ビームに対応する目標送信ビームを特定し、前記目標送信ビームの情報または前記目標受信ビームで受信されるダウンリンクパイロット信号の情報を一回で前記基地局にフィードバックする。
【０１３０】
図１２に示すように、前記装置は、前記Ｎ個のダウンリンクパイロット信号の送信方式が半永続的送信であり、かつ、前記フィードバック方式として、前記Ｎ個のダウンリンクパイロット信号に対するフィードバック情報を一回でフィードバックする場合、パイロット信号に対するフィードバック情報の送信停止を指示するための第２指示情報を前記基地局から受信する受信モジュール１１０５と、前記第２指示情報に基づいて、パイロット信号に対するフィードバック情報の前記基地局への送信を停止する処理モジュール１１０６とをさらに含む。
【０１３１】
本開示に記載の装置の動作原理は、前記方法実施例の記載を参照されたく、かつ前記装置は、端末に位置することができる。
【０１３２】
本開示の実施例において、端末は、複数のパイロット信号に対するフィードバック情報を送信せず、または複数のパイロット信号に対するフィードバック情報を一回で送信することができる。よって、本開示の実施例の方法によれば、関連技術のようにパイロット信号毎にフィードバック情報を単独で送信する必要がなく、シグナリングリソースを効果的に軽減する。
【０１３３】
図１３に示すように、本開示の実施例における信号処理装置は、
端末に対し、前記端末からアップリンクパイロット信号の送信を引き起こすための第３指示情報を送信する第１送信モジュール１３０１と、
前記端末から、取得したアップリンクパイロット信号のプリコーディング方式に基づいて、半永続的送信または非周期的送信の送信方式で送信されるＭ（２以上の整数）個のアップリンクパイロット信号を受信し、前記Ｍ個のアップリンクパイロット信号をそれぞれ測定する受信モジュール１３０２と、
前記Ｍ個のアップリンクパイロット信号のプリコーディング方式を取得する取得モジュール１３０３と、
前記アップリンクパイロット信号のコーディング方式に基づいて、前記Ｍ個のアップリンクパイロット信号に対するフィードバック情報のフィードバック方式を特定してフィードバックをする特定モジュール１３０４と、
を含み、
ここで、前記フィードバック方式は、前記Ｍ個のアップリンクパイロット信号に対するフィードバック情報を、フィードバックしないこと、または、一回でフィードバックすることを含む。
【０１３４】
ここで、前記アップリンクパイロット信号のプリコーディング方式は、前記Ｍ個のアップリンクパイロット信号に同一のプリコーディング方式が用いられることと、前記Ｍ個のアップリンクパイロット信号に異なるプリコーディング方式が用いられることとを含む。
【０１３５】
図１４に示すように、前記装置は、前記アップリンクパイロット信号のプリコーディング方式を前記第３指示情報に含ませ、または、前記アップリンクパイロット信号のプリコーディング方式をハイレイヤシグナリングによって前記端末に設定し、または、前記アップリンクパイロット信号のプリコーディング方式を前記端末に送信し、または、前記アップリンクパイロット信号のプリコーディング方式が含まれる通知シグナリングを前記端末に送信し、または、前記アップリンクパイロット信号のプリコーディング方式を前記端末と事前に取り決める設定モジュール１３０５をさらに含む。
【０１３６】
ここで、前記特定モジュール１３０４は、具体的に、
前記Ｍ個のアップリンクパイロット信号に同一のプリコーディング方式が用いられる場合、前記Ｍ個のアップリンクパイロット信号に対するフィードバック情報のフィードバック方式を、フィードバックしないことに特定し、または、
前記Ｍ個のアップリンクパイロット信号に異なるプリコーディング方式が用いられる場合、前記Ｍ個のアップリンクパイロット信号に対する測定結果に基づいて、信号品質が最適な目標アップリンクパイロット信号を１つまたは複数特定し、前記目標アップリンクパイロット信号の情報を一回で前記端末にフィードバックする。
【０１３７】
図１４に示すように、前記装置は、前記Ｍ個のアップリンクパイロット信号の送信方式が半永続的送信である場合、アップリンクパイロット信号の送信停止を前記端末に指示するための第４指示情報を前記端末に送信する第２送信モジュール１３０６をさらに含む。
【０１３８】
図１４に示すように、前記装置は、後のアップリンクパイロット信号送信で送信ビームの変更が必要であるかを前記端末に通知するための第５指示情報を前記端末に送信する第３送信モジュール１３０７をさらに含む。
【０１３９】
本開示に記載の装置の動作原理は、前記方法実施例の記載を参照されたく、かつ前記装置は、基地局に位置することができる。
【０１４０】
本開示の実施例において、基地局は、複数のパイロット信号に対するフィードバック情報を送信せず、または複数のパイロット信号に対するフィードバック情報を一回で送信することができる。よって、本開示の実施例の方法によれば、関連技術のようにパイロット信号毎にフィードバック情報を単独で送信する必要がなく、シグナリングリソースを効果的に軽減する。
【０１４１】
図１５に示すように、本開示の実施例における信号処理装置は、
アップリンクパイロット信号の送信を引き起こすための第３指示情報を基地局から受信する第１受信モジュール１５０１と、
アップリンクパイロット信号のプリコーディング方式を取得する取得モジュール１５０２と、
前記アップリンクパイロット信号のプリコーディング方式と前記第３指示情報に基づいて、半永続的送信または非周期的送信の送信方式であるＭ（２以上の整数）個のアップリンクパイロット信号を送信し、よって、前記基地局は、取得したアップリンクパイロット信号のプリコーディング方式に基づいて、前記Ｍ個のアップリンクパイロット信号に対するフィードバック情報のフィードバック方式を特定してフィードバックをする送信モジュール１５０３と、
を含み、
ここで、前記フィードバック方式は、前記Ｍ個のアップリンクパイロット信号に対するフィードバック情報を、フィードバックしないこと、または、一回でフィードバックすることを含む。
【０１４２】
ここで、前記アップリンクパイロット信号のプリコーディング方式は、前記Ｍ個のアップリンクパイロット信号に同一のプリコーディング方式が用いられることと、前記Ｍ個のアップリンクパイロット信号に異なるプリコーディング方式が用いられることとを含む。
前記取得モジュール１５０２は、具体的に、
前記アップリンクパイロット信号のプリコーディング方式が含まれる前記第３指示情報に基づいて、前記アップリンクパイロット信号のプリコーディング方式を取得し、または、
前記アップリンクパイロット信号のプリコーディング方式をハイレイヤシグナリングに基づいて取得し、または、
前記基地局との事前の取り決めに基づいて、前記アップリンクパイロット信号のプリコーディング方式を取得し、または、
前記アップリンクパイロット信号のプリコーディング方式を前記基地局から受信し、または、
前記アップリンクパイロット信号のプリコーディング方式が含まれる通知シグナリングを前記基地局から受信し、前記通知シグナリングに基づいて、前記アップリンクパイロット信号のプリコーディング方式を取得する。
【０１４３】
図１６に示すように、前記装置は、前記Ｍ個のアップリンクパイロット信号の送信方式が半永続的送信である場合、アップリンクパイロット信号の送信停止を前記端末に指示するための第４指示情報を前記基地局から受信する第２受信モジュール１５０４と、前記第４指示情報に基づいて、アップリンクパイロット信号の前記基地局への送信を停止する処理モジュール１５０５とをさらに含む。
【０１４４】
図１６に示すように、前記装置は、後のアップリンクパイロット信号送信で送信ビームの変更が必要であるかを通知するための第５指示情報を前記基地局から受信する第３受信モジュール１５０６をさらに含む。
【０１４５】
図１６に示すように、前記装置は、前記Ｍ個のアップリンクパイロット信号に対するフィードバック情報のフィードバック方式として、前記Ｍ個のアップリンクパイロット信号に対するフィードバック情報を一回でフィードバックすることが前記基地局によって特定される場合、前記Ｍ個のアップリンクパイロット信号に対するフィードバック情報を前記基地局から受信する第４受信モジュール１５０７と、前記Ｍ個のアップリンクパイロット信号に対するフィードバック情報に基づいて、アップリンク伝送ビームを特定する特定モジュール１５０８とをさらに含む。
【０１４６】
本開示に記載の装置の動作原理は、前記方法実施例の記載を参照されたく、かつ前記装置は、基地局に位置することができる。
【０１４７】
本開示の実施例において、基地局は、複数のパイロット信号に対するフィードバック情報を送信せず、または複数のパイロット信号に対するフィードバック情報を一回で送信することができる。よって、本開示の実施例の方法によれば、関連技術のようにパイロット信号毎にフィードバック情報を単独で送信する必要がなく、シグナリングリソースを効果的に節約する。
【０１４８】
図１７に示すように、本開示の実施例における基地局は、プロセッサ１７００とトランシーバ１７１０を含む。
プロセッサ１７００は、メモリ１７２０からプログラムを読み取ることによって、
端末に対し、前記端末からパイロット信号に対するフィードバック情報の送信を引き起こすための第１指示情報を送信するプロセスと、
半永続的送信または非周期的送信の送信方式であるＮ（２以上の整数）個のダウンリンクパイロット信号を前記端末に送信し、よって、前記端末は、取得したダウンリンクパイロット信号のプリコーディング方式と前記第１指示情報に基づいて、前記Ｎ個のダウンリンクパイロット信号に対するフィードバック情報のフィードバック方式を特定してフィードバックをするプロセスと、
を実行し、
ここで、前記フィードバック方式は、前記Ｎ個のダウンリンクパイロット信号に対するフィードバック情報を、フィードバックしないこと、または、一回でフィードバックすることを含む。
トランシーバ１７１０は、プロセッサ１７００による制御でデータを送受信する。
【０１４９】
ここで、図１７において、バスアーキテクチャは、任意数の相互接続するバスとブリッジを含み、具体的に、プロセッサ１７００をはじめとする１つ又は複数のプロセッサとメモリ１７２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１７１０は、複数の部品であってもよく、即ち送信機と受信機を含み、伝送媒体でほかの各種類の装置と通信するユニットとして提供される。プロセッサ１７００は、バスアーキテクチャと通常の処理を管理する。メモリ１７２０は、プロセッサ１７００による操作実行に使用されるデータを記憶できる。
【０１５０】
プロセッサ１７００は、バスアーキテクチャと通常の処理を管理する。メモリ１７２０は、プロセッサ１７００による操作実行に使用されるデータを記憶できる。
【０１５１】
前記ダウンリンクパイロット信号のプリコーディング方式は、前記Ｎ個のダウンリンクパイロット信号に同一のプリコーディング方式が用いられることと、前記Ｎ個のダウンリンクパイロット信号に異なるプリコーディング方式が用いられることとを含む。
プロセッサ１７００は、さらに、以下の方式で前記ダウンリンクパイロット信号のプリコーディング方式を通知する。
すなわち、前記ダウンリンクパイロット信号のプリコーディング方式が含まれる前記第１指示情報によって、前記ダウンリンクパイロット信号のコーディング方式を通知し、または、
前記ダウンリンクパイロット信号のプリコーディング方式をハイレイヤシグナリングによって前記端末に設定し、または、
前記ダウンリンクパイロット信号のプリコーディング方式を前記端末に送信し、または、
前記ダウンリンクパイロット信号のプリコーディング方式が含まれる通知シグナリングを前記端末に送信し、または、
前記ダウンリンクパイロット信号のプリコーディング方式を前記端末と事前に取り決める。
【０１５２】
プロセッサ１７００は、さらに、前記端末から前記Ｎ個のダウンリンクパイロット信号に対するフィードバック情報を受信し、前記Ｎ個のダウンリンクパイロット信号に対するフィードバック情報に基づいて、ダウンリンク伝送ビームを特定する。
【０１５３】
プロセッサ１７００は、さらに、前記Ｎ個のダウンリンクパイロット信号の送信方式が半永続的送信であり、かつ、前記フィードバック方式として、前記Ｎ個のダウンリンクパイロット信号に対するフィードバック情報を一回でフィードバックする場合、前記端末に対し、パイロット信号に対するフィードバック情報の送信停止を前記端末に指示するための第２指示情報を送信する。
【０１５４】
図１８に示すように、本開示の実施例における基地局は、プロセッサ１８００とトランシーバ１８１０を含む。
プロセッサ１８００は、メモリ１８２０からプログラムを読み取ることによって、
端末に対し、前記端末からアップリンクパイロット信号の送信を引き起こすための第３指示情報を送信するプロセスと、
前記端末から、取得したアップリンクパイロット信号のプリコーディング方式に基づいて、半永続的送信または非周期的送信の送信方式で送信されるＭ（２以上の整数）個のアップリンクパイロット信号を受信し、前記Ｍ個のアップリンクパイロット信号をそれぞれ測定するプロセスと、
前記Ｍ個のアップリンクパイロット信号のプリコーディング方式を取得するプロセスと、
前記アップリンクパイロット信号のコーディング方式に基づいて、前記Ｍ個のアップリンクパイロット信号に対するフィードバック情報のフィードバック方式を特定してフィードバックをするプロセスと、
を実行し、
ここで、前記フィードバック方式は、前記Ｍ個のアップリンクパイロット信号に対するフィードバック情報を、フィードバックしないこと、または、一回でフィードバックすることを含む。
トランシーバ１８１０は、プロセッサ１８００による制御でデータを送受信する。
【０１５５】
ここで、図１８において、バスアーキテクチャは、任意数の相互接続するバスとブリッジを含み、具体的に、プロセッサ１８００をはじめとする１つ又は複数のプロセッサとメモリ１８２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１８１０は、複数の部品であってもよく、即ち送信機と受信機を含み、伝送媒体でほかの各種類の装置と通信するユニットとして提供される。プロセッサ１８００は、バスアーキテクチャと通常の処理を管理する。メモリ１８２０は、プロセッサ１８００による操作実行に使用されるデータを記憶できる。
【０１５６】
プロセッサ１８００は、バスアーキテクチャと通常の処理を管理する。メモリ１８２０は、プロセッサ１８００による操作実行に使用されるデータを記憶できる。
【０１５７】
前記アップリンクパイロット信号のプリコーディング方式は、前記Ｍ個のアップリンクパイロット信号に同一のプリコーディング方式が用いられることと、前記Ｍ個のアップリンクパイロット信号に異なるプリコーディング方式が用いられることとを含む。
【０１５８】
プロセッサ１８００は、さらに、
前記アップリンクパイロット信号のプリコーディング方式が含まれる前記第３指示情報によって、前記アップリンクパイロット信号のプリコーディング方式を通知し、または、
前記アップリンクパイロット信号のプリコーディング方式をハイレイヤシグナリングによって前記端末に設定し、または、
前記アップリンクパイロット信号のプリコーディング方式を前記端末に送信し、または、
前記アップリンクパイロット信号のプリコーディング方式が含まれる通知シグナリングを前記端末に送信し、または、
前記アップリンクパイロット信号のプリコーディング方式を前記端末と事前に取り決める。
【０１５９】
プロセッサ１８００は、さらに、
前記Ｍ個のアップリンクパイロット信号に同一のプリコーディング方式が用いられる場合、前記Ｍ個のアップリンクパイロット信号に対するフィードバック情報のフィードバック方式を、フィードバックしないことに特定し、または、
前記Ｍ個のアップリンクパイロット信号に異なるプリコーディング方式が用いられる場合、前記Ｍ個のアップリンクパイロット信号に対する測定結果に基づいて、信号品質が最適な目標アップリンクパイロット信号を１つまたは複数特定し、前記目標アップリンクパイロット信号の情報を一回で前記端末にフィードバックする。
【０１６０】
プロセッサ１８００は、さらに、アップリンクパイロット信号の送信停止を前記端末に指示するための第４指示情報を前記端末に送信する。
【０１６１】
プロセッサ１８００は、さらに、後のアップリンクパイロット信号送信で送信ビームの変更が必要であるかを前記端末に通知するための第５指示情報を前記端末に送信する。
【０１６２】
ここで、図１８において、バスアーキテクチャは、任意数の相互接続するバスとブリッジを含み、具体的に、プロセッサ１８００をはじめとする１つ又は複数のプロセッサとメモリ１８２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１８１０は、複数の部品であってもよく、即ち送信機と受信機を含み、伝送媒体でほかの各種類の装置と通信するユニットとして提供される。プロセッサ１８００は、バスアーキテクチャと通常の処理を管理する。メモリ１８２０は、プロセッサ１８００による操作実行に使用されるデータを記憶できる。
【０１６３】
プロセッサ１８００は、バスアーキテクチャと通常の処理を管理する。メモリ１８２０は、プロセッサ１８００による操作実行に使用されるデータを記憶できる。
【０１６４】
プロセッサ１８００は、さらに、図３に示す実施例の各ステップを実行する。
【０１６５】
図１９に示すように、本開示の実施例における端末は、プロセッサ１９００とトランシーバ１９１０を含む。
プロセッサ１９００は、
メモリ１９２０からプログラムを読み取ることによって、パイロット信号に対するフィードバック情報の送信を引き起こすための第１指示情報を基地局から受信するプロセスと、
半永続的送信または非周期的送信の送信方式であるＮ（２以上の整数）個のダウンリンクパイロット信号を前記基地局から受信し、前記Ｎ個のダウンリンクパイロット信号をそれぞれ測定するプロセスと、
ダウンリンクパイロット信号のプリコーディング方式を取得するプロセスと、前記ダウンリンクパイロット信号のプリコーディング方式に基づいて、前記Ｎ個のダウンリンクパイロット信号に対するフィードバック情報のフィードバック方式を特定してフィードバックをするプロセスと、
を実行し、
ここで、前記フィードバック方式は、前記Ｎ個のダウンリンクパイロット信号に対するフィードバック情報を、フィードバックしないこと、または、一回でフィードバックすることを含む。
トランシーバ１９１０は、プロセッサ１９００による制御でデータを送受信する。
【０１６６】
ここで、図１９において、バスアーキテクチャは、任意数の相互接続するバスとブリッジを含み、具体的に、プロセッサ１９００をはじめとする１つ又は複数のプロセッサとメモリ１９２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ１９１０は、複数の部品であってもよく、即ち送信機と受信機を含み、伝送媒体でほかの各種類の装置と通信するユニットとして提供される。ユーザ端末によっては、ユーザインタフェース１９３０は、内部接続や外部接続する機器のインタフェースであってもよい。接続する機器は、キーパッド、ディスプレイ、スピーカ、マイクロフォン、ジョイスティックなどを含むが、それらに限られない。
【０１６７】
プロセッサ１９００は、バスアーキテクチャと通常の処理を管理する。メモリ１９２０は、プロセッサ１９００による操作実行に使用されるデータを記憶できる。
【０１６８】
ここで、前記ダウンリンクパイロット信号のプリコーディング方式は、前記Ｎ個のダウンリンクパイロット信号に同一のプリコーディング方式が用いられることと、前記Ｎ個のダウンリンクパイロット信号に異なるプリコーディング方式が用いられることとを含む。
【０１６９】
プロセッサ１９００は、さらに、
前記ダウンリンクパイロット信号のプリコーディング方式が含まれる前記第１指示情報に基づいて、前記ダウンリンクパイロット信号のプリコーディング方式を取得し、または、
前記ダウンリンクパイロット信号のプリコーディング方式をハイレイヤシグナリングに基づいて取得し、または、
前記基地局との事前の取り決めに基づいて、前記ダウンリンクパイロット信号のプリコーディング方式を取得し、または、
前記基地局から送信される前記ダウンリンクパイロット信号のプリコーディング方式を受信し、または、
前記ダウンリンクパイロット信号のプリコーディング方式が含まれる通知シグナリングを前記基地局から受信し、前記通知シグナリングに基づいて、前記ダウンリンクパイロット信号のプリコーディング方式を取得する。
【０１７０】
プロセッサ１９００は、さらに、
前記Ｎ個のダウンリンクパイロット信号に同一のプリコーディング方式が用いられる場合、フィードバックしないことを、前記基地局の通知または前記基地局との事前の取り決めに基づいて特定すると、前記Ｎ個のダウンリンクパイロット信号に対するフィードバック情報のフィードバック方式として、フィードバックしないことに特定し、または、
前記Ｎ個のダウンリンクパイロット信号に同一のプリコーディング方式が用いられる場合、一回でフィードバックすることを、前記基地局の通知または前記基地局との事前の取り決めに基づいて特定すると、前記Ｎ個のダウンリンクパイロット信号に対する測定結果に基づいて、前記Ｎ個のダウンリンクパイロット信号を受信する受信ビームから、受信信号品質が最適な目標受信ビームを１つまたは複数特定し、前記目標受信ビームの情報を一回で前記基地局にフィードバックし、または、
前記Ｎ個のダウンリンクパイロット信号に異なるプリコーディング方式が用いられる場合、前記Ｎ個のダウンリンクパイロット信号に対する測定結果に基づいて、前記Ｎ個のダウンリンクパイロット信号を受信する受信ビームから、受信信号品質が最適な目標受信ビームを１つまたは複数特定し、前記目標受信ビームに対応する目標送信ビームを特定し、前記目標送信ビームの情報または前記目標受信ビームで受信されるダウンリンクパイロット信号の情報を一回で前記基地局にフィードバックする。
【０１７１】
プロセッサ１９００は、さらに、パイロット信号に対するフィードバック情報の送信停止を指示するための第２指示情報を前記基地局から受信し、前記第２指示情報に基づいて、パイロット信号に対するフィードバック情報の前記基地局への送信を停止する。
【０１７２】
図２０に示すように、本開示の実施例における端末は、プロセッサ２０００とトランシーバ２０１０を含む。
プロセッサ２０００は、メモリ２０２０からプログラムを読み取ることによって、
アップリンクパイロット信号の送信を引き起こすための第３指示情報を基地局から受信するプロセスと、
アップリンクパイロット信号のプリコーディング方式を取得するプロセスと、
前記アップリンクパイロット信号のプリコーディング方式と前記第３指示情報に基づいて、半永続的送信または非周期的送信の送信方式であるＭ（２以上の整数）個のアップリンクパイロット信号を送信するプロセスとを実行し、よって、前記基地局は、取得したアップリンクパイロット信号のプリコーディング方式に基づいて、前記Ｍ個のアップリンクパイロット信号に対するフィードバック情報のフィードバック方式を特定してフィードバックをするプロセスと、
を実行し、
ここで、前記フィードバック方式は、前記Ｍ個のアップリンクパイロット信号に対するフィードバック情報を、フィードバックしないこと、または、一回でフィードバックすることを含む。
トランシーバ２０１０は、プロセッサ２０００による制御でデータを送受信する。
【０１７３】
ここで、図２０において、バスアーキテクチャは、任意数の相互接続するバスとブリッジを含み、具体的に、プロセッサ２０００をはじめとする１つ又は複数のプロセッサとメモリ２０２０をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ２０１０は、複数の部品であってもよく、即ち送信機と受信機を含み、伝送媒体でほかの各種類の装置と通信するユニットとして提供される。ユーザ端末によっては、ユーザインタフェース２０３０は、内部接続や外部接続する機器のインタフェースであってもよい。接続する機器は、キーパッド、ディスプレイ、スピーカ、マイクロフォン、ジョイスティックなどを含むが、それらに限られない。
【０１７４】
プロセッサ２０００は、バスアーキテクチャと通常の処理を管理する。メモリ２０２０は、プロセッサ２０００による操作実行に使用されるデータを記憶できる。
【０１７５】
プロセッサ２０００は、さらに、前記アップリンクパイロット信号のプリコーディング方式が含まれる前記第３指示情報に基づいて、前記アップリンクパイロット信号のプリコーディング方式を取得し、または、前記アップリンクパイロット信号のプリコーディング方式をハイレイヤシグナリングに基づいて取得し、または、前記基地局との事前の取り決めに基づいて、前記アップリンクパイロット信号のプリコーディング方式を取得し、または、前記アップリンクパイロット信号のプリコーディング方式を前記基地局から受信し、または、前記アップリンクパイロット信号のプリコーディング方式が含まれる通知シグナリングを前記基地局から受信し、前記通知シグナリングに基づいて、前記アップリンクパイロット信号のプリコーディング方式を取得する。
【０１７６】
プロセッサ２０００は、さらに、アップリンクパイロット信号の送信停止を前記端末に指示するための第４指示情報を前記基地局から受信し、前記第４指示情報に基づいて、アップリンクパイロット信号の前記基地局への送信を停止する。
【０１７７】
プロセッサ２０００は、さらに、後のアップリンクパイロット信号送信で送信ビームの変更が必要であるかを通知するための第５指示情報を前記基地局から受信する。
【０１７８】
プロセッサ２０００は、さらに、前記Ｍ個のアップリンクパイロット信号に対するフィードバック情報を前記基地局から受信し、前記Ｍ個のアップリンクパイロット信号に対するフィードバック情報に基づいて、アップリンク伝送ビームを特定する。
【０１７９】
本開示の実施例は、コンピュータプログラムを記憶するための記憶媒体をさらに提供する。プロセッサが前記コンピュータプログラムを実行すると、前記信号処理方法が実行される。
【０１８０】
本願で提供されるいくつかの実施例において、開示された方法および装置は、他の方式で実施され得ることを理解されたい。以上記載した装置実施例は、単に例示的なものである。例えば、記載したユニットの区分は、単に論理機能の区分であり、実際に実現する際に別の区分方式がある。例えば、複数のユニットまたはコンポーネントは、組み合わせてもよく、別のシステムに一体化されてもよく、または、一部の特徴は、無視されてもよく、または実行されなくてもよい。また、示されておりまたは議論されている各構成部分の相互間の結合や直接結合や通信接続は、インタフェース、装置またはユニットを介した間接結合や通信接続であってもよく、電気的、機械的、または他の形式であってもよい。
【０１８１】
また、本開示の各実施例における各機能的ユニットは、全て１つの処理ユニットに一体化されていてもよいし、別々に１つのユニットとしてもよいし、２つ以上のユニットが１つのユニットに一体化されてもよい。上述した一体化ユニットは、ハードウェアの形態、またはハードウェアとソフトウェア機能ユニットの形態で実施することができる。
【０１８２】
上述したソフトウェア機能ユニットの形態で実施される一体化ユニットは、コンピュータ読み取り可能な記憶媒体に格納されてもよい。上記ソフトウェア機能ユニットは、記憶媒体に記憶され、本開示の各実施例の送受信方法のステップの一部をコンピュータ装置（パーソナルコンピュータ、サーバ、又はネットワーク装置であってもよい）に実行させるいくつかの指令を含む。前記記憶媒体は、Ｕディスク、モバイルハードディスク、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスクまたは光ディスクなど、プログラムコードを格納することができる様々な媒体を含む。
【０１８３】
以上記載されたのは、本開示の好適な実施形態である。なお、当業者は、本開示に記載されている原理を逸脱せずに様々な改良や修飾をすることもできる。これらの改良や修飾も、本開示の保護範囲として見なされるべきである。
【図１】
0006949137.tif 000002
【図２】
0006949137.tif 000003
【図３】
0006949137.tif 000004
【図４】
0006949137.tif 000005
【図５】
0006949137.tif 000006
【図６】
0006949137.tif 000007
【図７】
0006949137.tif 000008
【図８】
0006949137.tif 000009
【図９】
0006949137.tif 000010
【図１０】
0006949137.tif 000011
【図１１】
0006949137.tif 000012
【図１２】
0006949137.tif 000013
【図１３】
0006949137.tif 000014
【図１４】
0006949137.tif 000015
【図１５】
0006949137.tif 000016
【図１６】
0006949137.tif 000017
【図１７】
0006949137.tif 000018
【図１８】
0006949137.tif 000019
【図１９】
0006949137.tif 000020
【図２０】
0006949137.tif 000021